(57)【特許請求の範囲】
【請求項１】
少なくとも１つの誤り訂正符号による符号化を行い、16APSK変調してディジタルデータ伝送を行う送信装置であって、
符号化率が７３／１２０の符号による誤り訂正符号化を行う誤り訂正符号化手段を備え、
前記16APSK変調の信号点は、内周円上の４点の信号点、及び外周円上の１２点の信号点であり、
前記外周円の半径は、前記内周円の半径の２．８７倍である
ことを特徴とする送信装置。
【請求項２】
請求項１に記載の送信装置であって、
前記誤り訂正符号化手段は、符号長が４４８８０ビットのLDPC符号による誤り訂正符号化を行い、
前記LDPC符号の検査行列は、その検査行列の、前記符号化率に応じた情報長に対応する部分行列の１の要素の位置を３７４列毎に表す検査行列初期値テーブルによって定まる前記部分行列の１の要素を、列方向に３７４列毎の周期で配置して構成され、
前記検査行列初期値テーブルは、
357   954   7119  7201  7951  8660  8833  10902 13537 15019 16162 17393 17414
415   1005  2768  4478  6376  6992  10421 11744 13008 13294 16054 16103 17398
33    1278  5158  7309  7692  7725  10635 12376 12386 14426 14624 15432 17361
1005  2169  2215  3348  3667  4112  6118  8391  9296  9353  14480 16954 17519
789   1675  1751  6153  6377  13166 13887 13905 14217 14507 14753 15707 15896
355   1880  2959  3279  3328  6405  7962  9391  11195 11415 13999 14370 17134
1487  2810  3059  3354  3515  4282  8082  14613 15099 15268 16682 17303 17559
1140  2561  2662  2668  3505  4851  5341  6138  10407 12194 13150 13223 13239
3068  3856  4550  8151  8244  9602  9752  11365 11636 11768 12134 13566 17105
1435  1664  2304  3212  4974  8135  11314 11588 11667 12195 15385 15715 16714
1741  1947  2773  4045  4340  8244  9170  9583  12382 13645 13768 14027 16709
4247  5364  12994
24    1585  9160
5678  9509  12795
1584  2932  7313
5311  6685  16318
1053  9398  14842
9448  12744 13810
3040  3679  7686
9816  11028 13609
352   3396  7645
293   6003  12642
6840  11000 13886
3030  6910  11489
4601  16312 16351
5633  5708  9483
6931  12266 15863
4080  11013 16587
6077  6901  8660
11160 12563 16833
12610 13589 17255
597   6780  12541
3572  5296  16178
2772  10557 16953
8315  9497  12811
9076  10590 17513
9464  11633 12939
117   11613 11782
4008  7056  12120
2156  6956  9614
11255 11681 14684
374   5204  5316
5750  10140 10754
3246  15326 16788
4839  13725 14859
3760  13834 16089
2988  3455  12733
5093  8924  16859
3592  3621  16569
6053  7951  8316
7331  13216 17181
8094  11141 16500
1956  3488  10371
2852  5454  8847
3016  3177  10250
2990  12736 13293
8599  10333 12826
11154 13241 16994
6472  14558 15541
309   3770  15650
3890  6732  12686
1791  5409  16925
10464 14384 14699
1282  10278 15135
5851  9569  10063
9527  13932 17090
4192  6788  17248
2322  2357  9161
1381  7313  16246
196   3561  7252
5881  10640 14399
1451  14495 17425
2911  8369  9439
からなる
ことを特徴とする送信装置。
【請求項３】
少なくとも１つの誤り訂正符号による符号化を行い、16APSK変調してディジタルデータ伝送を行う送信方法であって、
符号化率が７３／１２０の符号による誤り訂正符号化を行う誤り訂正符号化ステップを備え、
前記16APSK変調の信号点は、内周円上の４点の信号点、及び外周円上の１２点の信号点であり、
前記外周円の半径は、前記内周円の半径の２．８７倍である
ことを特徴とする送信方法。
【請求項４】
請求項３に記載の送信方法であって、
前記誤り訂正符号化ステップでは、符号長が４４８８０ビットのLDPC符号による誤り訂正符号化を行い、
前記LDPC符号の検査行列は、その検査行列の、前記符号化率に応じた情報長に対応する部分行列の１の要素の位置を３７４列毎に表す検査行列初期値テーブルによって定まる前記部分行列の１の要素を、列方向に３７４列毎の周期で配置して構成され、
前記検査行列初期値テーブルは、
357   954   7119  7201  7951  8660  8833  10902 13537 15019 16162 17393 17414
415   1005  2768  4478  6376  6992  10421 11744 13008 13294 16054 16103 17398
33    1278  5158  7309  7692  7725  10635 12376 12386 14426 14624 15432 17361
1005  2169  2215  3348  3667  4112  6118  8391  9296  9353  14480 16954 17519
789   1675  1751  6153  6377  13166 13887 13905 14217 14507 14753 15707 15896
355   1880  2959  3279  3328  6405  7962  9391  11195 11415 13999 14370 17134
1487  2810  3059  3354  3515  4282  8082  14613 15099 15268 16682 17303 17559
1140  2561  2662  2668  3505  4851  5341  6138  10407 12194 13150 13223 13239
3068  3856  4550  8151  8244  9602  9752  11365 11636 11768 12134 13566 17105
1435  1664  2304  3212  4974  8135  11314 11588 11667 12195 15385 15715 16714
1741  1947  2773  4045  4340  8244  9170  9583  12382 13645 13768 14027 16709
4247  5364  12994
24    1585  9160
5678  9509  12795
1584  2932  7313
5311  6685  16318
1053  9398  14842
9448  12744 13810
3040  3679  7686
9816  11028 13609
352   3396  7645
293   6003  12642
6840  11000 13886
3030  6910  11489
4601  16312 16351
5633  5708  9483
6931  12266 15863
4080  11013 16587
6077  6901  8660
11160 12563 16833
12610 13589 17255
597   6780  12541
3572  5296  16178
2772  10557 16953
8315  9497  12811
9076  10590 17513
9464  11633 12939
117   11613 11782
4008  7056  12120
2156  6956  9614
11255 11681 14684
374   5204  5316
5750  10140 10754
3246  15326 16788
4839  13725 14859
3760  13834 16089
2988  3455  12733
5093  8924  16859
3592  3621  16569
6053  7951  8316
7331  13216 17181
8094  11141 16500
1956  3488  10371
2852  5454  8847
3016  3177  10250
2990  12736 13293
8599  10333 12826
11154 13241 16994
6472  14558 15541
309   3770  15650
3890  6732  12686
1791  5409  16925
10464 14384 14699
1282  10278 15135
5851  9569  10063
9527  13932 17090
4192  6788  17248
2322  2357  9161
1381  7313  16246
196   3561  7252
5881  10640 14399
1451  14495 17425
2911  8369  9439
からなる
ことを特徴とする送信方法。
【請求項５】
少なくとも１つの誤り訂正符号による符号化を行い、16APSK変調してディジタルデータ伝送を行う送信装置であって、
符号化率が２７／４０の符号による誤り訂正符号化を行う誤り訂正符号化手段を備え、
前記16APSK変調の信号点は、内周円上の４点の信号点、及び外周円上の１２点の信号点であり、
前記外周円の半径は、前記内周円の半径の２．９２倍である
ことを特徴とする送信装置。
【請求項６】
請求項５に記載の送信装置であって、
前記誤り訂正符号化手段は、符号長が４４８８０ビットのLDPC符号による誤り訂正符号化を行い、
前記LDPC符号の検査行列は、その検査行列の、前記符号化率に応じた情報長に対応する部分行列の１の要素の位置を３７４列毎に表す検査行列初期値テーブルによって定まる前記部分行列の１の要素を、列方向に３７４列毎の周期で配置して構成され、
前記検査行列初期値テーブルは、
4958  6639  6721  8238  9540  9550  10491 11742 11641 12092 13056 13460
1135  1453  1545  1594  2703  3390  4538  4466  6018  11272 11598 12726
4975  4835  7828  9796  9878  11211 11805 11887 12215 12732 13357 14181
477   1914  3849  5397  5569  7818  7910  10083 10247 11108 13025 13558
918   2825  3050  3130  3347  9325  11410 11549 12972 13560 14292 14183
1996  6166  6176  6922  7396  8318  8722  8976  9837  10272 11541 12611
899   1746  2968  3374  5260  5393  6379  7054  8048  9534  10696 14550
1166  4372  5364  5573  10123 10104 10586 10967 10971 10780 13320 14450
653   1703  1713  3800  4999  7275  7457  8366  8515  9175  9770  14341
897   1176  1100  1689  2011  1912  2195  3827  4942  5395  6179  8525
883   1697  2535  2785  7982  8505  8794  9803  10643 10411 12033 13592
4688  4907  6004  6338  6537  9299  11769 12841 13341 13843 13650 14362
5526  6516  10983
11959 13659 13523
2947  5532  8679
8687  12867 13486
5450  6719  10727
1432  3767  12129
735   4095  11557
9755  10288 13978
694   5899  6270
5696  6393  10124
4384  4710  7582
7500  11231 12010
5694  9259  11477
5983  6762  8156
2004  8197  11969
1881  4872  8853
7242  9017  9751
241   2168  8361
7254  7375  10401
3236  3726  5446
4979  5151  5778
4093  5858  6926
3714  13072 14265
2537  6752  9503
3599  10153 10534
2406  6141  14388
2334  12379 12664
2086  9319  14140
895   11639 13814
405   4456  13349
3601  8072  11104
7908  11344 12523
362   8113  10934
2330  3931  9632
1266  3150  3564
2494  4013  7900
1186  9395  9216
1553  7090  7377
4085  6389  8894
8730  9591  12502
6434  7131  13691
7172  7295  10575
1184  9936  14358
5284  8884  10438
407   5149  14548
5079  7049  13527
3685  7642  7992
2209  2453  3177
2978  4341  8029
846   3478  12943
2332  10276 13322
1871  8802  13277
2580  4292  10329
3277  7785  14210
6832  12949 13117
1994  4257  4425
2158  4782  13568
530   11096 11723
3183  12564 14152
403   6842  9509
9895  14161 14474
487   3318  11590
2517  6266  14306
3031  3769  11928
3029  3154  11846
6268  14052 14585
3933  5327  11826
6514  12785 13158
7888  11414 12662
からなる
ことを特徴とする送信装置。
【請求項７】
少なくとも１つの誤り訂正符号による符号化を行い、16APSK変調してディジタルデータ伝送を行う送信方法であって、
符号化率が２７／４０の符号による誤り訂正符号化を行う誤り訂正符号化ステップを備え、
前記16APSK変調の信号点は、内周円上の４点の信号点、及び外周円上の１２点の信号点であり、
前記外周円の半径は、前記内周円の半径の２．９２倍である
ことを特徴とする送信方法。
【請求項８】
請求項７に記載の送信方法であって、
前記誤り訂正符号化ステップでは、符号長が４４８８０ビットのLDPC符号による誤り訂正符号化を行い、
前記LDPC符号の検査行列は、その検査行列の、前記符号化率に応じた情報長に対応する部分行列の１の要素の位置を３７４列毎に表す検査行列初期値テーブルによって定まる前記部分行列の１の要素を、列方向に３７４列毎の周期で配置して構成され、
前記検査行列初期値テーブルは、
4958  6639  6721  8238  9540  9550  10491 11742 11641 12092 13056 13460
1135  1453  1545  1594  2703  3390  4538  4466  6018  11272 11598 12726
4975  4835  7828  9796  9878  11211 11805 11887 12215 12732 13357 14181
477   1914  3849  5397  5569  7818  7910  10083 10247 11108 13025 13558
918   2825  3050  3130  3347  9325  11410 11549 12972 13560 14292 14183
1996  6166  6176  6922  7396  8318  8722  8976  9837  10272 11541 12611
899   1746  2968  3374  5260  5393  6379  7054  8048  9534  10696 14550
1166  4372  5364  5573  10123 10104 10586 10967 10971 10780 13320 14450
653   1703  1713  3800  4999  7275  7457  8366  8515  9175  9770  14341
897   1176  1100  1689  2011  1912  2195  3827  4942  5395  6179  8525
883   1697  2535  2785  7982  8505  8794  9803  10643 10411 12033 13592
4688  4907  6004  6338  6537  9299  11769 12841 13341 13843 13650 14362
5526  6516  10983
11959 13659 13523
2947  5532  8679
8687  12867 13486
5450  6719  10727
1432  3767  12129
735   4095  11557
9755  10288 13978
694   5899  6270
5696  6393  10124
4384  4710  7582
7500  11231 12010
5694  9259  11477
5983  6762  8156
2004  8197  11969
1881  4872  8853
7242  9017  9751
241   2168  8361
7254  7375  10401
3236  3726  5446
4979  5151  5778
4093  5858  6926
3714  13072 14265
2537  6752  9503
3599  10153 10534
2406  6141  14388
2334  12379 12664
2086  9319  14140
895   11639 13814
405   4456  13349
3601  8072  11104
7908  11344 12523
362   8113  10934
2330  3931  9632
1266  3150  3564
2494  4013  7900
1186  9395  9216
1553  7090  7377
4085  6389  8894
8730  9591  12502
6434  7131  13691
7172  7295  10575
1184  9936  14358
5284  8884  10438
407   5149  14548
5079  7049  13527
3685  7642  7992
2209  2453  3177
2978  4341  8029
846   3478  12943
2332  10276 13322
1871  8802  13277
2580  4292  10329
3277  7785  14210
6832  12949 13117
1994  4257  4425
2158  4782  13568
530   11096 11723
3183  12564 14152
403   6842  9509
9895  14161 14474
487   3318  11590
2517  6266  14306
3031  3769  11928
3029  3154  11846
6268  14052 14585
3933  5327  11826
6514  12785 13158
7888  11414 12662
からなる
ことを特徴とする送信方法。
【請求項９】
少なくとも１つの誤り訂正符号による符号化を行い、16APSK変調してディジタルデータ伝送を行う送信装置であって、
符号化率が８９／１２０の符号による誤り訂正符号化を行う誤り訂正符号化手段を備え、
前記16APSK変調の信号点は、内周円上の４点の信号点、及び外周円上の１２点の信号点であり、
前記外周円の半径は、前記内周円の半径の２．９７倍である
ことを特徴とする送信装置。
【請求項１０】
請求項９に記載の送信装置であって、
前記誤り訂正符号化手段は、符号長が４４８８０ビットのLDPC符号による誤り訂正符号化を行い、
前記LDPC符号の検査行列は、その検査行列の、前記符号化率に応じた情報長に対応する部分行列の１の要素の位置を３７４列毎に表す検査行列初期値テーブルによって定まる前記部分行列の１の要素を、列方向に３７４列毎の周期で配置して構成され、
前記検査行列初期値テーブルは、
1372  1492  2242  2362  3502  3622  6472  7912  8362  10252
3775  4732  6682  7942  9712  10162 10501 10343 10852 11184
1086  2482  2812  2932  5550  5602  6807  6862  8433  10042
1282  2844  5543  6147  7492  8122  8842  10282 10582 11573
682   986   2274  5780  5872  6595  7712  7674  7972  10828
1552  3000  5218  5182  5423  5635  7528  8756  9742  10553
473   2431  4224  4952  4762  6542  7413  8905  9446  11242
1262  1582  1793  3865  4590  4852  7854  8032  10137 11433
1109  1225  2302  3382  4232  6352  7312  8637  9757  10134
1922  4882  4972  5307  5610  7913  9204  10372 10860 11582
1111  2123  3833  4711  6238  6353  7102  8260  8872  11512
563   2003  3988  3748  3832  6515  7105  8550  10588 10617
689   1102  1735  2724  3023  4135  5309  7026  8334  9532
1384  1882  3594  4385  5784  9832  10752 11064 11274 11393
1316  1373  2040  4287  5483  6239  8878  9745  10855 11454
5243  7344  7493  
1710  3597  11007
3472  6323  10974
1649  3082  5812
6444  9481  9809
1134  3352  9502
4553  8782  10972
4462  7073  8814
4781  10023 9989
2303  5754  6262
3055  5513  7162
3053  8337  9952
4012  4853  7015
3685  4583  10709
4588  5184  5242
3952  4288  7884
3112  5303  11152
803   5999  9144
688   1734  3202
2363  9412  9862
3052  7223  7794
8453  9954  11572
562   5093  9172
4709  5693  10095
5752  8573  11004
2244  4403  8452
4258  9442  9534
3263  5157  10919
7553  8932  11488
1402  3683  4644
3353  6684  8062
2093  8002  10164
2820  7432  7824
5363  6804  9232
3203  7734  10167
8518  9085  9052
2723  2995  9802
3328  9112  10614
3474  5046  8583
653   7137  7434
1294  6059  11484
1224  1343  1912
2184  4253  8512
1764  6474  8367
4915  6237  7914
1073  10494 11182
2453  2997  3292
4468  6954  10497
5964  6273  7252
3773  8572  8664
2008  2097  2064
4858  4942  8939
623   4764  8392
2760  6983  10192
982   2573  2694
1732  3743  9024
6712  9332  11223
1252  11363 11544
4312  6365  8662
3303  6925  11135
2753  6811  7225
4314  10823 11062
3448  3924  9562
5453  7704  9622
742   6628  7174
867   833   5632
6481  6717  11373
2452  7583  9324
2640  7222  8902
6173  9352  10889
1222  1522  7582
5758  6234  11452
2100  7020  10822
2633  4792  8214
からなる
ことを特徴とする送信装置。
【請求項１１】
少なくとも１つの誤り訂正符号による符号化を行い、16APSK変調してディジタルデータ伝送を行う送信方法であって、
符号化率が８９／１２０の符号による誤り訂正符号化を行う誤り訂正符号化ステップを備え、
前記16APSK変調の信号点は、内周円上の４点の信号点、及び外周円上の１２点の信号点であり、
前記外周円の半径は、前記内周円の半径の２．９７倍である
ことを特徴とする送信方法。
【請求項１２】
請求項１１に記載の送信方法であって、
前記誤り訂正符号化ステップでは、符号長が４４８８０ビットのLDPC符号による誤り訂正符号化を行い、
前記LDPC符号の検査行列は、その検査行列の、前記符号化率に応じた情報長に対応する部分行列の１の要素の位置を３７４列毎に表す検査行列初期値テーブルによって定まる前記部分行列の１の要素を、列方向に３７４列毎の周期で配置して構成され、
前記検査行列初期値テーブルは、
1372  1492  2242  2362  3502  3622  6472  7912  8362  10252
3775  4732  6682  7942  9712  10162 10501 10343 10852 11184
1086  2482  2812  2932  5550  5602  6807  6862  8433  10042
1282  2844  5543  6147  7492  8122  8842  10282 10582 11573
682   986   2274  5780  5872  6595  7712  7674  7972  10828
1552  3000  5218  5182  5423  5635  7528  8756  9742  10553
473   2431  4224  4952  4762  6542  7413  8905  9446  11242
1262  1582  1793  3865  4590  4852  7854  8032  10137 11433
1109  1225  2302  3382  4232  6352  7312  8637  9757  10134
1922  4882  4972  5307  5610  7913  9204  10372 10860 11582
1111  2123  3833  4711  6238  6353  7102  8260  8872  11512
563   2003  3988  3748  3832  6515  7105  8550  10588 10617
689   1102  1735  2724  3023  4135  5309  7026  8334  9532
1384  1882  3594  4385  5784  9832  10752 11064 11274 11393
1316  1373  2040  4287  5483  6239  8878  9745  10855 11454
5243  7344  7493  
1710  3597  11007
3472  6323  10974
1649  3082  5812
6444  9481  9809
1134  3352  9502
4553  8782  10972
4462  7073  8814
4781  10023 9989
2303  5754  6262
3055  5513  7162
3053  8337  9952
4012  4853  7015
3685  4583  10709
4588  5184  5242
3952  4288  7884
3112  5303  11152
803   5999  9144
688   1734  3202
2363  9412  9862
3052  7223  7794
8453  9954  11572
562   5093  9172
4709  5693  10095
5752  8573  11004
2244  4403  8452
4258  9442  9534
3263  5157  10919
7553  8932  11488
1402  3683  4644
3353  6684  8062
2093  8002  10164
2820  7432  7824
5363  6804  9232
3203  7734  10167
8518  9085  9052
2723  2995  9802
3328  9112  10614
3474  5046  8583
653   7137  7434
1294  6059  11484
1224  1343  1912
2184  4253  8512
1764  6474  8367
4915  6237  7914
1073  10494 11182
2453  2997  3292
4468  6954  10497
5964  6273  7252
3773  8572  8664
2008  2097  2064
4858  4942  8939
623   4764  8392
2760  6983  10192
982   2573  2694
1732  3743  9024
6712  9332  11223
1252  11363 11544
4312  6365  8662
3303  6925  11135
2753  6811  7225
4314  10823 11062
3448  3924  9562
5453  7704  9622
742   6628  7174
867   833   5632
6481  6717  11373
2452  7583  9324
2640  7222  8902
6173  9352  10889
1222  1522  7582
5758  6234  11452
2100  7020  10822
2633  4792  8214
からなる
ことを特徴とする送信方法。
【請求項１３】
少なくとも１つの誤り訂正符号による符号化を行い、16APSK変調してディジタルデータ伝送を行う送信装置であって、
符号化率が９７／１２０の符号による誤り訂正符号化を行う誤り訂正符号化手段を備え、
前記16APSK変調の信号点は、内周円上の４点の信号点、及び外周円上の１２点の信号点であり、
前記外周円の半径は、前記内周円の半径の２．７３倍である
ことを特徴とする送信装置。
【請求項１４】
請求項１３に記載の送信装置であって、
前記誤り訂正符号化手段は、符号長が４４８８０ビットのLDPC符号による誤り訂正符号化を行い、
前記LDPC符号の検査行列は、その検査行列の、前記符号化率に応じた情報長に対応する部分行列の１の要素の位置を３７４列毎に表す検査行列初期値テーブルによって定まる前記部分行列の１の要素を、列方向に３７４列毎の周期で配置して構成され、
前記検査行列初期値テーブルは、
1215  1303  1606  1628  1804  2200  2244  5522  8475  8514
1364  2122  3569  4163  4554  4906  5418  4109  7150  8250
1043  1220  2916  4604  4827  6094  6492  6996  7527  8275
1134  2530  4052  3072  6060  5711  6170  6210  6938  8409
1321  1672  2073  2426  3481  4480  7678  7421  7835  8519
1598  1611  2200  2024  4938  5106  5216  6434  7750  8011
1932  1677  2800  3345  5811  6161  7132  7326  7713  7524
1855  1084  5315  5399  5846  6047  6497  7567  8414  7907
1262  3747  4097  5788  5733  6109  6832  6976  8437  8489
902   2082  1986  2479  2926  3666  4527  6857  8145  8522
1067  2848  4332  4822  4603  4759  5250  6182  6296  7900
2465  4449  4402
3939  5505  8147
4444  5346  7062
2046  3235  4116
2427  4335  5033
2118  4322  7480
819   1277  8343
3834  5128  6248
1877  2377  2513
2179  5632  8492
3332  7656  7925
930   2332  6424
804   6056  7350
2757  6645  7174
3547  5232  6940
2229  5493  7943
2008  2794  2884
2135  3158  3874
1149  2883  8010
4423  4445  8379
688   3036  4011
3272  3882  5414
890   1722  3239
4453  5638  7806
2730  4847  5588
1240  3058  7788
4533  6798  6954
3037  6715  7866
871   3640  6426
2797  8097  8421
1830  3549  3762
3786  3938  4229
3702  4752  7722
748   1023  7568
2150  2136  2913
3307  8301  8580
1543  5172  6956
684   6249  7876
6030  7041  7634
2048  2597  5109
2795  4555  6842
3306  4050  5214
3631  4957  8272
2514  4889  8541
2784  6759  8234
3940  5084  8382
6297  6634  6580
1129  8300  8470
2420  3349  7239
1480  6475  6804
841   2028  6436
3301  5766  6116
552   5045  7539
3279  4539  7422
2333  6820  8118
2268  6870  8316
4026  5921  8013
731   1212  6167
3438  5509  6688
1282  5594  8123
1903  3791  7551
893   1440  1501
1914  4340  6628
2647  2994  5018
2786  3245  8016
1614  3743  5258
1018  5065  6293
4291  6937  7640
3636  6077  7992
1265  1586  5765
3830  4599  6716
1122  7508  8213
1567  3213  6471
4978  5544  5874
2993  4405  5786
1826  4885  5681
4664  5907  6338
2621  3542  6491
2178  6143  6974
4105  7267  7282
1232  1431  5808
947   6103  7182
3752  5173  6060
2816  3635  6073
1343  4226  7744
3241  7047  7546
からなる
ことを特徴とする送信装置。
【請求項１５】
少なくとも１つの誤り訂正符号による符号化を行い、16APSK変調してディジタルデータ伝送を行う送信方法であって、
符号化率が９７／１２０の符号による誤り訂正符号化を行う誤り訂正符号化ステップを備え、
前記16APSK変調の信号点は、内周円上の４点の信号点、及び外周円上の１２点の信号点であり、
前記外周円の半径は、前記内周円の半径の２．７３倍である
ことを特徴とする送信方法。
【請求項１６】
請求項１５に記載の送信方法であって、
前記誤り訂正符号化ステップでは、符号長が４４８８０ビットのLDPC符号による誤り訂正符号化を行い、
前記LDPC符号の検査行列は、その検査行列の、前記符号化率に応じた情報長に対応する部分行列の１の要素の位置を３７４列毎に表す検査行列初期値テーブルによって定まる前記部分行列の１の要素を、列方向に３７４列毎の周期で配置して構成され、
前記検査行列初期値テーブルは、
1215  1303  1606  1628  1804  2200  2244  5522  8475  8514
1364  2122  3569  4163  4554  4906  5418  4109  7150  8250
1043  1220  2916  4604  4827  6094  6492  6996  7527  8275
1134  2530  4052  3072  6060  5711  6170  6210  6938  8409
1321  1672  2073  2426  3481  4480  7678  7421  7835  8519
1598  1611  2200  2024  4938  5106  5216  6434  7750  8011
1932  1677  2800  3345  5811  6161  7132  7326  7713  7524
1855  1084  5315  5399  5846  6047  6497  7567  8414  7907
1262  3747  4097  5788  5733  6109  6832  6976  8437  8489
902   2082  1986  2479  2926  3666  4527  6857  8145  8522
1067  2848  4332  4822  4603  4759  5250  6182  6296  7900
2465  4449  4402
3939  5505  8147
4444  5346  7062
2046  3235  4116
2427  4335  5033
2118  4322  7480
819   1277  8343
3834  5128  6248
1877  2377  2513
2179  5632  8492
3332  7656  7925
930   2332  6424
804   6056  7350
2757  6645  7174
3547  5232  6940
2229  5493  7943
2008  2794  2884
2135  3158  3874
1149  2883  8010
4423  4445  8379
688   3036  4011
3272  3882  5414
890   1722  3239
4453  5638  7806
2730  4847  5588
1240  3058  7788
4533  6798  6954
3037  6715  7866
871   3640  6426
2797  8097  8421
1830  3549  3762
3786  3938  4229
3702  4752  7722
748   1023  7568
2150  2136  2913
3307  8301  8580
1543  5172  6956
684   6249  7876
6030  7041  7634
2048  2597  5109
2795  4555  6842
3306  4050  5214
3631  4957  8272
2514  4889  8541
2784  6759  8234
3940  5084  8382
6297  6634  6580
1129  8300  8470
2420  3349  7239
1480  6475  6804
841   2028  6436
3301  5766  6116
552   5045  7539
3279  4539  7422
2333  6820  8118
2268  6870  8316
4026  5921  8013
731   1212  6167
3438  5509  6688
1282  5594  8123
1903  3791  7551
893   1440  1501
1914  4340  6628
2647  2994  5018
2786  3245  8016
1614  3743  5258
1018  5065  6293
4291  6937  7640
3636  6077  7992
1265  1586  5765
3830  4599  6716
1122  7508  8213
1567  3213  6471
4978  5544  5874
2993  4405  5786
1826  4885  5681
4664  5907  6338
2621  3542  6491
2178  6143  6974
4105  7267  7282
1232  1431  5808
947   6103  7182
3752  5173  6060
2816  3635  6073
1343  4226  7744
3241  7047  7546
からなる
ことを特徴とする送信方法。
【請求項１７】
少なくとも１つの誤り訂正符号による符号化を行い、16APSK変調してディジタルデータ伝送を行う送信装置であって、
符号化率が１０１／１２０の符号による誤り訂正符号化を行う誤り訂正符号化手段を備え、
前記16APSK変調の信号点は、内周円上の４点の信号点、及び外周円上の１２点の信号点であり、
前記外周円の半径は、前記内周円の半径の２．６７倍である
ことを特徴とする送信装置。
【請求項１８】
請求項１７に記載の送信装置であって、
前記誤り訂正符号化手段は、符号長が４４８８０ビットのLDPC符号による誤り訂正符号化を行い、
前記LDPC符号の検査行列は、その検査行列の、前記符号化率に応じた情報長に対応する部分行列の１の要素の位置を３７４列毎に表す検査行列初期値テーブルによって定まる前記部分行列の１の要素を、列方向に３７４列毎の周期で配置して構成され、
前記検査行列初期値テーブルは、
836   3140  3644  3968  4238  5858  5930  6470  6542  6866
1183  2385  3689  3248  3680  4112  4616  4868  5210  6344
494   1179  2908  3158  3715  5432  5426  5617  6998  6600
1325  2485  3466  5228  4605  5244  6102  6286  5107  6955
880   2704  3752  4204  4493  5403  6368  6308  5265  6950
538   1209  1201  1330  2205  2887  2931  3016  3613  6036
1699  2414  2441  1307  3886  4716  5761  6712  6817  5491
1299  1143  1974  2683  3880  4554  4851  5714  5811  6896
913   2626  4797  2922  3181  4324  5023  5936  6717  2455
2620  2983  3267  3036  4460  5026  5366  6428  6442  6644
2115  3862  3472  4369  4889  6431  6995  6743  7086  6093
3375  5631  7082
972   1348  5296
1001  1365  1684
1396  4861  4841
5103  5607  6092
1089  2876  5303
2731  4742  5733
1214  1594  5145
2046  4078  5566
3252  6375  6528
2138  2942  6892
983   3759  5216
1402  1888  4552
4033  6110  6794
2510  4725  6459
1188  3936  6868
430   900   3284
651   6083  6115
2973  4458  4475
2592  3141  5737
2194  5620  6060
3785  4332  4562
1652  4412  4736
778   2943  7104
695   2619  6133
2104  3650  6099
1680  6920  6970
1526  2109  3268
732   1075  3914
2958  3393  5055
1858  6297  6926
3673  3667  6852
3445  5500  6503
787   3071  6512
477   712   2852
914   2121  2898
2187  3251  3769
391   4383  6766
1338  1713  5858
1182  1905  2622
459   685   2150
2048  4077  4976
389   2360  2858
482   3852  5918
1666  4881  6507
1304  2709  5788
578   5561  6276
1938  2456  4323
929   1559  5859
1941  3070  3266
2710  3820  4452
4295  5300  5717
841   1845  4461
2087  3257  5057
3199  4322  4796
3992  4258  4639
3547  3786  5040
1099  3646  5320
1199  1593  2116
1835  6078  6693
1360  4214  5686
1655  2661  5662
3478  5227  5993
3201  4482  5066
659   1701  6062
4720  5070  6264
2408  4415  6264
2259  5124  7054
5558  5810  5863
3205  4959  6353
1305  3467  6132
639   4348  5894
567   3050  4065
1082  2497  4129
2006  5420  5247
1358  1600  3883
1060  1136  2716
1620  2407  6841
1899  6146  6386
1492  1792  4762
606   1648  4064
679   2534  7084
4403  6195  6601
3704  4840  5560
612   2406  2755
523   5545  6783
2296  3774  6996
1413  4713  7033
2386  3119  5283
3291  4930  6981
からなる
ことを特徴とする送信装置。
【請求項１９】
少なくとも１つの誤り訂正符号による符号化を行い、16APSK変調してディジタルデータ伝送を行う送信方法であって、
符号化率が１０１／１２０の符号による誤り訂正符号化を行う誤り訂正符号化ステップを備え、
前記16APSK変調の信号点は、内周円上の４点の信号点、及び外周円上の１２点の信号点であり、
前記外周円の半径は、前記内周円の半径の２．６７倍である
ことを特徴とする送信方法。
【請求項２０】
請求項１９に記載の送信方法であって、
前記誤り訂正符号化ステップでは、符号長が４４８８０ビットのLDPC符号による誤り訂正符号化を行い、
前記LDPC符号の検査行列は、その検査行列の、前記符号化率に応じた情報長に対応する部分行列の１の要素の位置を３７４列毎に表す検査行列初期値テーブルによって定まる前記部分行列の１の要素を、列方向に３７４列毎の周期で配置して構成され、
前記検査行列初期値テーブルは、
836   3140  3644  3968  4238  5858  5930  6470  6542  6866
1183  2385  3689  3248  3680  4112  4616  4868  5210  6344
494   1179  2908  3158  3715  5432  5426  5617  6998  6600
1325  2485  3466  5228  4605  5244  6102  6286  5107  6955
880   2704  3752  4204  4493  5403  6368  6308  5265  6950
538   1209  1201  1330  2205  2887  2931  3016  3613  6036
1699  2414  2441  1307  3886  4716  5761  6712  6817  5491
1299  1143  1974  2683  3880  4554  4851  5714  5811  6896
913   2626  4797  2922  3181  4324  5023  5936  6717  2455
2620  2983  3267  3036  4460  5026  5366  6428  6442  6644
2115  3862  3472  4369  4889  6431  6995  6743  7086  6093
3375  5631  7082
972   1348  5296
1001  1365  1684
1396  4861  4841
5103  5607  6092
1089  2876  5303
2731  4742  5733
1214  1594  5145
2046  4078  5566
3252  6375  6528
2138  2942  6892
983   3759  5216
1402  1888  4552
4033  6110  6794
2510  4725  6459
1188  3936  6868
430   900   3284
651   6083  6115
2973  4458  4475
2592  3141  5737
2194  5620  6060
3785  4332  4562
1652  4412  4736
778   2943  7104
695   2619  6133
2104  3650  6099
1680  6920  6970
1526  2109  3268
732   1075  3914
2958  3393  5055
1858  6297  6926
3673  3667  6852
3445  5500  6503
787   3071  6512
477   712   2852
914   2121  2898
2187  3251  3769
391   4383  6766
1338  1713  5858
1182  1905  2622
459   685   2150
2048  4077  4976
389   2360  2858
482   3852  5918
1666  4881  6507
1304  2709  5788
578   5561  6276
1938  2456  4323
929   1559  5859
1941  3070  3266
2710  3820  4452
4295  5300  5717
841   1845  4461
2087  3257  5057
3199  4322  4796
3992  4258  4639
3547  3786  5040
1099  3646  5320
1199  1593  2116
1835  6078  6693
1360  4214  5686
1655  2661  5662
3478  5227  5993
3201  4482  5066
659   1701  6062
4720  5070  6264
2408  4415  6264
2259  5124  7054
5558  5810  5863
3205  4959  6353
1305  3467  6132
639   4348  5894
567   3050  4065
1082  2497  4129
2006  5420  5247
1358  1600  3883
1060  1136  2716
1620  2407  6841
1899  6146  6386
1492  1792  4762
606   1648  4064
679   2534  7084
4403  6195  6601
3704  4840  5560
612   2406  2755
523   5545  6783
2296  3774  6996
1413  4713  7033
2386  3119  5283
3291  4930  6981
からなる
ことを特徴とする送信方法。
【請求項２１】
少なくとも１つの誤り訂正符号による符号化を行い、16APSK変調してディジタルデータ伝送を行う送信装置であって、
符号化率が７／８の符号による誤り訂正符号化を行う誤り訂正符号化手段を備え、
前記16APSK変調の信号点は、内周円上の４点の信号点、及び外周円上の１２点の信号点であり、
前記外周円の半径は、前記内周円の半径の２．７６倍である
ことを特徴とする送信装置。
【請求項２２】
請求項２１に記載の送信装置であって、
前記誤り訂正符号化手段は、符号長が４４８８０ビットのLDPC符号による誤り訂正符号化を行い、
前記LDPC符号の検査行列は、その検査行列の、前記符号化率に応じた情報長に対応する部分行列の１の要素の位置を３７４列毎に表す検査行列初期値テーブルによって定まる前記部分行列の１の要素を、列方向に３７４列毎の周期で配置して構成され、
前記検査行列初期値テーブルは、
93    1986  2504  2631  2810  2877  3763  4354  4824
76    385   1193  1434  3481  3979  4379  4436  4587
160   350   911   964   1180  1428  2212  3465  4738
130   389   620   865   1966  1999  2315  3714  4392
139   2226  2900  2932  3167  3550  4630  5155  5271
163   519   902   1789  2809  3731  3759  5270  5287
390   2117  2436  2877  3378  3731  4882  5205  5463
2131  3304  3681  4382  4462  4594  4808  4929  4985
592   676   3162  3391  3817  4392  4847  5492  5513
640   1392  1583  1742  2649  3827  3918  4029  4319
479   669   1097  1380  2222  2538  2809  3727  3750
1214  1592  2559  3574  3966  4108  4284  4646  4930
205   641   1947  2048  2066  2589  3277  3999  4869
424   662   1243  1414  1873  1943  2212  3271  3493
993   1122  1453  2626  3469  3568  3981  4930  5392
892   928   3979
90    2273  4406
1890  2999  3206
2411  4980  5104
712   3958  4361
497   1159  3611
3145  4022  4896
1120  2568  3522
132   888   980
934   1275  2660
2797  3622  5588
2797  4621  5312
4070  4922  5171
851   2474  3190
57    2355  2527
3254  3519  5061
484   1948  4085
405   1895  5547
4288  4338  5337
1695  4773  5356
810   2881  5523
1077  2731  3000
796   3631  5170
1028  1679  3049
1138  3176  3866
2928  3499  4448
1079  1322  4875
1651  2305  3871
3223  3792  5541
833   2418  5504
1918  3292  5534
2953  4430  5553
1487  4715  4964
2396  2686  3438
4201  4519  5427
179   1193  3181
848   987   2822
1136  2399  4467
2909  3650  4553
129   1325  5190
3046  5252  5403
4120  4290  4687
150   3304  5605
16    4685  5478
2910  3667  4453
2471  2565  4228
1694  4247  4900
2116  4092  4412
3003  4733  5351
1377  1432  5404
1024  3100  3224
681   2154  5526
1844  1985  4974
330   2520  3746
2573  3454  5496
2088  4939  5384
1072  3111  3171
3672  3858  5543
2211  5080  5325
673   1822  2238
2003  2825  4007
2880  3302  4719
2080  2877  5362
402   756   2132
2318  2523  5597
241   1344  5488
3164  3215  5465
24    1943  2458
1704  5151  5608
1071  2514  3944
645   2392  3526
1484  1586  5052
3551  4029  5016
891   2493  5049
1686  3183  5438
3366  3538  3698
2033  3490  3792
1366  5137  5476
635   2040  5395
1678  1694  4675
268   849   1655
1400  2723  5093
363   1781  5053
1925  2804  2956
505   1267  2720
1880  2601  4547
2258  3386  5337
2094  5123  5159
1881  2988  3881
201   690   1016
からなる
ことを特徴とする送信装置。
【請求項２３】
少なくとも１つの誤り訂正符号による符号化を行い、16APSK変調してディジタルデータ伝送を行う送信方法であって、
符号化率が７／８の符号による誤り訂正符号化を行う誤り訂正符号化ステップを備え、
前記16APSK変調の信号点は、内周円上の４点の信号点、及び外周円上の１２点の信号点であり、
前記外周円の半径は、前記内周円の半径の２．７６倍である
ことを特徴とする送信方法。
【請求項２４】
請求項２３に記載の送信方法であって、
前記誤り訂正符号化ステップでは、符号長が４４８８０ビットのLDPC符号による誤り訂正符号化を行い、
前記LDPC符号の検査行列は、その検査行列の、前記符号化率に応じた情報長に対応する部分行列の１の要素の位置を３７４列毎に表す検査行列初期値テーブルによって定まる前記部分行列の１の要素を、列方向に３７４列毎の周期で配置して構成され、
前記検査行列初期値テーブルは、
93    1986  2504  2631  2810  2877  3763  4354  4824
76    385   1193  1434  3481  3979  4379  4436  4587
160   350   911   964   1180  1428  2212  3465  4738
130   389   620   865   1966  1999  2315  3714  4392
139   2226  2900  2932  3167  3550  4630  5155  5271
163   519   902   1789  2809  3731  3759  5270  5287
390   2117  2436  2877  3378  3731  4882  5205  5463
2131  3304  3681  4382  4462  4594  4808  4929  4985
592   676   3162  3391  3817  4392  4847  5492  5513
640   1392  1583  1742  2649  3827  3918  4029  4319
479   669   1097  1380  2222  2538  2809  3727  3750
1214  1592  2559  3574  3966  4108  4284  4646  4930
205   641   1947  2048  2066  2589  3277  3999  4869
424   662   1243  1414  1873  1943  2212  3271  3493
993   1122  1453  2626  3469  3568  3981  4930  5392
892   928   3979
90    2273  4406
1890  2999  3206
2411  4980  5104
712   3958  4361
497   1159  3611
3145  4022  4896
1120  2568  3522
132   888   980
934   1275  2660
2797  3622  5588
2797  4621  5312
4070  4922  5171
851   2474  3190
57    2355  2527
3254  3519  5061
484   1948  4085
405   1895  5547
4288  4338  5337
1695  4773  5356
810   2881  5523
1077  2731  3000
796   3631  5170
1028  1679  3049
1138  3176  3866
2928  3499  4448
1079  1322  4875
1651  2305  3871
3223  3792  5541
833   2418  5504
1918  3292  5534
2953  4430  5553
1487  4715  4964
2396  2686  3438
4201  4519  5427
179   1193  3181
848   987   2822
1136  2399  4467
2909  3650  4553
129   1325  5190
3046  5252  5403
4120  4290  4687
150   3304  5605
16    4685  5478
2910  3667  4453
2471  2565  4228
1694  4247  4900
2116  4092  4412
3003  4733  5351
1377  1432  5404
1024  3100  3224
681   2154  5526
1844  1985  4974
330   2520  3746
2573  3454  5496
2088  4939  5384
1072  3111  3171
3672  3858  5543
2211  5080  5325
673   1822  2238
2003  2825  4007
2880  3302  4719
2080  2877  5362
402   756   2132
2318  2523  5597
241   1344  5488
3164  3215  5465
24    1943  2458
1704  5151  5608
1071  2514  3944
645   2392  3526
1484  1586  5052
3551  4029  5016
891   2493  5049
1686  3183  5438
3366  3538  3698
2033  3490  3792
1366  5137  5476
635   2040  5395
1678  1694  4675
268   849   1655
1400  2723  5093
363   1781  5053
1925  2804  2956
505   1267  2720
1880  2601  4547
2258  3386  5337
2094  5123  5159
1881  2988  3881
201   690   1016
からなる
ことを特徴とする送信方法。
【請求項２５】
少なくとも１つの誤り訂正符号による符号化を行い、16APSK変調してディジタルデータ伝送を行う送信装置であって、
符号化率が１０９／１２０の符号による誤り訂正符号化を行う誤り訂正符号化手段を備え、
前記16APSK変調の信号点は、内周円上の４点の信号点、及び外周円上の１２点の信号点であり、
前記外周円の半径は、前記内周円の半径の２．６９倍である
ことを特徴とする送信装置。
【請求項２６】
請求項２５に記載の送信装置であって、
前記誤り訂正符号化手段は、符号長が４４８８０ビットのLDPC符号による誤り訂正符号化を行い、
前記LDPC符号の検査行列は、その検査行列の、前記符号化率に応じた情報長に対応する部分行列の１の要素の位置を３７４列毎に表す検査行列初期値テーブルによって定まる前記部分行列の１の要素を、列方向に３７４列毎の周期で配置して構成され、
前記検査行列初期値テーブルは、
220   484   3688  3808
880   1335  2704  4106
544   556   2092  2416
1504  1660  2152
1336  3700  3891
1564  2320  4024
1168  2644  4060
1958  2056  3712
938   2992  3004
3100  3459  4047
1045  1576  3050
278   1826  2235
1000  1984  3255
1178  3662  3724
172   2907  3532
160   2380  3064
628   1116  1790
579   2212  3328
302   435   1264
1479  1792  3796
1300  3591  3901
820   1143  3856
724   1093  2968
1106  3099  3604
255   2164  2656
951   1684  3472
592   2027  2308
2473  2487  3887
1024  1288  2269
736   1851  3172
1166  2436  2547
374   1312  2848
854   1924  3304
456   1108  1372
950   2091  2799
915   1708  1970
304   1059  3804
292   2030  2620
841   1240  1827
1492  2376  3160
546   976   1813
2127  2786  3972
604   2871  3652
471   2822  3040
290   640   3544
2282  2824  3784
1204  3500  4055
699   1743  3364
527   1599  2978
1250  3748  4074
316   373   2692
3220  3324  3490
925   3431  3736
1934  2007  3904
734   1971  2584
2055  3279  3964
1551  1672  4108
1596  2488  2560
1518  3614  3916
2607  3013  4012
663   2942  3940
1659  3267  3730
1740  2559  2752
496   1539  1800
2437  2798  4094
817   1420  3649
1480  1863  2200
2031  2187  2884
274   2716  3049
1491  2960  3232
1899  2523  3316
844   1655  2428
2339  2474  3919
388   2869  3952
999   2139  3508
1180  2115  2668
2379  3520  3589
564   2728  3903
616   1153  3196
697   759   3388
975   1864  3347
711   1418  2307
405   827   1712
1466  3107  3396
2691  3480  3992
952   2173  2605
519   543   1744
1146  1931  2812
1702  2919  3411
687   1593  1634
3384  3460  3528
856   2232  3170
195   411   1443
2522  3190  3988
1406  2377  2464
387   3202  3976
1320  2248  2795
243   2087  2367
448   1227  3698
1478  2999  3208
2546  2619  2632
196   1107  2272
2943  3178  3855
1252  1742  3551
364   591   3076
807   1404  1900
1192  3239  3579
890   2068  3650
793   1850  4048
からなる
ことを特徴とする送信装置。
【請求項２７】
少なくとも１つの誤り訂正符号による符号化を行い、16APSK変調してディジタルデータ伝送を行う送信方法であって、
符号化率が１０９／１２０の符号による誤り訂正符号化を行う誤り訂正符号化ステップを備え、
前記16APSK変調の信号点は、内周円上の４点の信号点、及び外周円上の１２点の信号点であり、
前記外周円の半径は、前記内周円の半径の２．６９倍である
ことを特徴とする送信方法。
【請求項２８】
請求項２７に記載の送信方法であって、
前記誤り訂正符号化ステップでは、符号長が４４８８０ビットのLDPC符号による誤り訂正符号化を行い、
前記LDPC符号の検査行列は、その検査行列の、前記符号化率に応じた情報長に対応する部分行列の１の要素の位置を３７４列毎に表す検査行列初期値テーブルによって定まる前記部分行列の１の要素を、列方向に３７４列毎の周期で配置して構成され、
前記検査行列初期値テーブルは、
220   484   3688  3808
880   1335  2704  4106
544   556   2092  2416
1504  1660  2152
1336  3700  3891
1564  2320  4024
1168  2644  4060
1958  2056  3712
938   2992  3004
3100  3459  4047
1045  1576  3050
278   1826  2235
1000  1984  3255
1178  3662  3724
172   2907  3532
160   2380  3064
628   1116  1790
579   2212  3328
302   435   1264
1479  1792  3796
1300  3591  3901
820   1143  3856
724   1093  2968
1106  3099  3604
255   2164  2656
951   1684  3472
592   2027  2308
2473  2487  3887
1024  1288  2269
736   1851  3172
1166  2436  2547
374   1312  2848
854   1924  3304
456   1108  1372
950   2091  2799
915   1708  1970
304   1059  3804
292   2030  2620
841   1240  1827
1492  2376  3160
546   976   1813
2127  2786  3972
604   2871  3652
471   2822  3040
290   640   3544
2282  2824  3784
1204  3500  4055
699   1743  3364
527   1599  2978
1250  3748  4074
316   373   2692
3220  3324  3490
925   3431  3736
1934  2007  3904
734   1971  2584
2055  3279  3964
1551  1672  4108
1596  2488  2560
1518  3614  3916
2607  3013  4012
663   2942  3940
1659  3267  3730
1740  2559  2752
496   1539  1800
2437  2798  4094
817   1420  3649
1480  1863  2200
2031  2187  2884
274   2716  3049
1491  2960  3232
1899  2523  3316
844   1655  2428
2339  2474  3919
388   2869  3952
999   2139  3508
1180  2115  2668
2379  3520  3589
564   2728  3903
616   1153  3196
697   759   3388
975   1864  3347
711   1418  2307
405   827   1712
1466  3107  3396
2691  3480  3992
952   2173  2605
519   543   1744
1146  1931  2812
1702  2919  3411
687   1593  1634
3384  3460  3528
856   2232  3170
195   411   1443
2522  3190  3988
1406  2377  2464
387   3202  3976
1320  2248  2795
243   2087  2367
448   1227  3698
1478  2999  3208
2546  2619  2632
196   1107  2272
2943  3178  3855
1252  1742  3551
364   591   3076
807   1404  1900
1192  3239  3579
890   2068  3650
793   1850  4048
からなる
ことを特徴とする送信方法。
【請求項２９】
少なくとも１つの誤り訂正符号による符号化を行い、32APSK変調してディジタルデータ伝送を行う送信装置であって、
符号化率が２７／４０の符号による誤り訂正符号化を行う誤り訂正符号化手段を備え、
前記32APSK変調の信号点は、第１内周円上の４点の信号点、前記第１内周円よりも半径が大の第２内周円上の１２点の信号点、及び外周円上の１６点の信号点であり、
前記第２内周円の半径は、前記第１内周円の半径の２．９２倍であり、
前記外周円の半径は、前記第１内周円の半径の５．６８倍である
ことを特徴とする送信装置。
【請求項３０】
請求項２９に記載の送信装置であって、
前記誤り訂正符号化手段は、符号長が４４８８０ビットのLDPC符号による誤り訂正符号化を行い、
前記LDPC符号の検査行列は、その検査行列の、前記符号化率に応じた情報長に対応する部分行列の１の要素の位置を３７４列毎に表す検査行列初期値テーブルによって定まる前記部分行列の１の要素を、列方向に３７４列毎の周期で配置して構成され、
前記検査行列初期値テーブルは、
4958  6639  6721  8238  9540  9550  10491 11742 11641 12092 13056 13460
1135  1453  1545  1594  2703  3390  4538  4466  6018  11272 11598 12726
4975  4835  7828  9796  9878  11211 11805 11887 12215 12732 13357 14181
477   1914  3849  5397  5569  7818  7910  10083 10247 11108 13025 13558
918   2825  3050  3130  3347  9325  11410 11549 12972 13560 14292 14183
1996  6166  6176  6922  7396  8318  8722  8976  9837  10272 11541 12611
899   1746  2968  3374  5260  5393  6379  7054  8048  9534  10696 14550
1166  4372  5364  5573  10123 10104 10586 10967 10971 10780 13320 14450
653   1703  1713  3800  4999  7275  7457  8366  8515  9175  9770  14341
897   1176  1100  1689  2011  1912  2195  3827  4942  5395  6179  8525
883   1697  2535  2785  7982  8505  8794  9803  10643 10411 12033 13592
4688  4907  6004  6338  6537  9299  11769 12841 13341 13843 13650 14362
5526  6516  10983
11959 13659 13523
2947  5532  8679
8687  12867 13486
5450  6719  10727
1432  3767  12129
735   4095  11557
9755  10288 13978
694   5899  6270
5696  6393  10124
4384  4710  7582
7500  11231 12010
5694  9259  11477
5983  6762  8156
2004  8197  11969
1881  4872  8853
7242  9017  9751
241   2168  8361
7254  7375  10401
3236  3726  5446
4979  5151  5778
4093  5858  6926
3714  13072 14265
2537  6752  9503
3599  10153 10534
2406  6141  14388
2334  12379 12664
2086  9319  14140
895   11639 13814
405   4456  13349
3601  8072  11104
7908  11344 12523
362   8113  10934
2330  3931  9632
1266  3150  3564
2494  4013  7900
1186  9395  9216
1553  7090  7377
4085  6389  8894
8730  9591  12502
6434  7131  13691
7172  7295  10575
1184  9936  14358
5284  8884  10438
407   5149  14548
5079  7049  13527
3685  7642  7992
2209  2453  3177
2978  4341  8029
846   3478  12943
2332  10276 13322
1871  8802  13277
2580  4292  10329
3277  7785  14210
6832  12949 13117
1994  4257  4425
2158  4782  13568
530   11096 11723
3183  12564 14152
403   6842  9509
9895  14161 14474
487   3318  11590
2517  6266  14306
3031  3769  11928
3029  3154  11846
6268  14052 14585
3933  5327  11826
6514  12785 13158
7888  11414 12662
からなる
ことを特徴とする送信装置。
【請求項３１】
少なくとも１つの誤り訂正符号による符号化を行い、32APSK変調してディジタルデータ伝送を行う送信方法であって、
符号化率が２７／４０の符号による誤り訂正符号化を行う誤り訂正符号化ステップを備え、
前記32APSK変調の信号点は、第１内周円上の４点の信号点、前記第１内周円よりも半径が大の第２内周円上の１２点の信号点、及び外周円上の１６点の信号点であり、
前記第２内周円の半径は、前記第１内周円の半径の２．９２倍であり、
前記外周円の半径は、前記第１内周円の半径の５．６８倍である
ことを特徴とする送信方法。
【請求項３２】
請求項３１に記載の送信方法であって、
前記誤り訂正符号化ステップでは、符号長が４４８８０ビットのLDPC符号による誤り訂正符号化を行い、
前記LDPC符号の検査行列は、その検査行列の、前記符号化率に応じた情報長に対応する部分行列の１の要素の位置を３７４列毎に表す検査行列初期値テーブルによって定まる前記部分行列の１の要素を、列方向に３７４列毎の周期で配置して構成され、
前記検査行列初期値テーブルは、
4958  6639  6721  8238  9540  9550  10491 11742 11641 12092 13056 13460
1135  1453  1545  1594  2703  3390  4538  4466  6018  11272 11598 12726
4975  4835  7828  9796  9878  11211 11805 11887 12215 12732 13357 14181
477   1914  3849  5397  5569  7818  7910  10083 10247 11108 13025 13558
918   2825  3050  3130  3347  9325  11410 11549 12972 13560 14292 14183
1996  6166  6176  6922  7396  8318  8722  8976  9837  10272 11541 12611
899   1746  2968  3374  5260  5393  6379  7054  8048  9534  10696 14550
1166  4372  5364  5573  10123 10104 10586 10967 10971 10780 13320 14450
653   1703  1713  3800  4999  7275  7457  8366  8515  9175  9770  14341
897   1176  1100  1689  2011  1912  2195  3827  4942  5395  6179  8525
883   1697  2535  2785  7982  8505  8794  9803  10643 10411 12033 13592
4688  4907  6004  6338  6537  9299  11769 12841 13341 13843 13650 14362
5526  6516  10983
11959 13659 13523
2947  5532  8679
8687  12867 13486
5450  6719  10727
1432  3767  12129
735   4095  11557
9755  10288 13978
694   5899  6270
5696  6393  10124
4384  4710  7582
7500  11231 12010
5694  9259  11477
5983  6762  8156
2004  8197  11969
1881  4872  8853
7242  9017  9751
241   2168  8361
7254  7375  10401
3236  3726  5446
4979  5151  5778
4093  5858  6926
3714  13072 14265
2537  6752  9503
3599  10153 10534
2406  6141  14388
2334  12379 12664
2086  9319  14140
895   11639 13814
405   4456  13349
3601  8072  11104
7908  11344 12523
362   8113  10934
2330  3931  9632
1266  3150  3564
2494  4013  7900
1186  9395  9216
1553  7090  7377
4085  6389  8894
8730  9591  12502
6434  7131  13691
7172  7295  10575
1184  9936  14358
5284  8884  10438
407   5149  14548
5079  7049  13527
3685  7642  7992
2209  2453  3177
2978  4341  8029
846   3478  12943
2332  10276 13322
1871  8802  13277
2580  4292  10329
3277  7785  14210
6832  12949 13117
1994  4257  4425
2158  4782  13568
530   11096 11723
3183  12564 14152
403   6842  9509
9895  14161 14474
487   3318  11590
2517  6266  14306
3031  3769  11928
3029  3154  11846
6268  14052 14585
3933  5327  11826
6514  12785 13158
7888  11414 12662
からなる
ことを特徴とする送信方法。
【請求項３３】
少なくとも１つの誤り訂正符号による符号化を行い、32APSK変調してディジタルデータ伝送を行う送信装置であって、
符号化率が８９／１２０の符号による誤り訂正符号化を行う誤り訂正符号化手段を備え、
前記32APSK変調の信号点は、第１内周円上の４点の信号点、前記第１内周円よりも半径が大の第２内周円上の１２点の信号点、及び外周円上の１６点の信号点であり、
前記第２内周円の半径は、前記第１内周円の半径の２．９７倍であり、
前記外周円の半径は、前記第１内周円の半径の５．５７倍である
ことを特徴とする送信装置。
【請求項３４】
請求項３３に記載の送信装置であって、
前記誤り訂正符号化手段は、符号長が４４８８０ビットのLDPC符号による誤り訂正符号化を行い、
前記LDPC符号の検査行列は、その検査行列の、前記符号化率に応じた情報長に対応する部分行列の１の要素の位置を３７４列毎に表す検査行列初期値テーブルによって定まる前記部分行列の１の要素を、列方向に３７４列毎の周期で配置して構成され、
前記検査行列初期値テーブルは、
1372  1492  2242  2362  3502  3622  6472  7912  8362  10252
3775  4732  6682  7942  9712  10162 10501 10343 10852 11184
1086  2482  2812  2932  5550  5602  6807  6862  8433  10042
1282  2844  5543  6147  7492  8122  8842  10282 10582 11573
682   986   2274  5780  5872  6595  7712  7674  7972  10828
1552  3000  5218  5182  5423  5635  7528  8756  9742  10553
473   2431  4224  4952  4762  6542  7413  8905  9446  11242
1262  1582  1793  3865  4590  4852  7854  8032  10137 11433
1109  1225  2302  3382  4232  6352  7312  8637  9757  10134
1922  4882  4972  5307  5610  7913  9204  10372 10860 11582
1111  2123  3833  4711  6238  6353  7102  8260  8872  11512
563   2003  3988  3748  3832  6515  7105  8550  10588 10617
689   1102  1735  2724  3023  4135  5309  7026  8334  9532
1384  1882  3594  4385  5784  9832  10752 11064 11274 11393
1316  1373  2040  4287  5483  6239  8878  9745  10855 11454
5243  7344  7493  
1710  3597  11007
3472  6323  10974
1649  3082  5812
6444  9481  9809
1134  3352  9502
4553  8782  10972
4462  7073  8814
4781  10023 9989
2303  5754  6262
3055  5513  7162
3053  8337  9952
4012  4853  7015
3685  4583  10709
4588  5184  5242
3952  4288  7884
3112  5303  11152
803   5999  9144
688   1734  3202
2363  9412  9862
3052  7223  7794
8453  9954  11572
562   5093  9172
4709  5693  10095
5752  8573  11004
2244  4403  8452
4258  9442  9534
3263  5157  10919
7553  8932  11488
1402  3683  4644
3353  6684  8062
2093  8002  10164
2820  7432  7824
5363  6804  9232
3203  7734  10167
8518  9085  9052
2723  2995  9802
3328  9112  10614
3474  5046  8583
653   7137  7434
1294  6059  11484
1224  1343  1912
2184  4253  8512
1764  6474  8367
4915  6237  7914
1073  10494 11182
2453  2997  3292
4468  6954  10497
5964  6273  7252
3773  8572  8664
2008  2097  2064
4858  4942  8939
623   4764  8392
2760  6983  10192
982   2573  2694
1732  3743  9024
6712  9332  11223
1252  11363 11544
4312  6365  8662
3303  6925  11135
2753  6811  7225
4314  10823 11062
3448  3924  9562
5453  7704  9622
742   6628  7174
867   833   5632
6481  6717  11373
2452  7583  9324
2640  7222  8902
6173  9352  10889
1222  1522  7582
5758  6234  11452
2100  7020  10822
2633  4792  8214
からなる
ことを特徴とする送信装置。
【請求項３５】
少なくとも１つの誤り訂正符号による符号化を行い、32APSK変調してディジタルデータ伝送を行う送信方法であって、
符号化率が８９／１２０の符号による誤り訂正符号化を行う誤り訂正符号化ステップを備え、
前記32APSK変調の信号点は、第１内周円上の４点の信号点、前記第１内周円よりも半径が大の第２内周円上の１２点の信号点、及び外周円上の１６点の信号点であり、
前記第２内周円の半径は、前記第１内周円の半径の２．９７倍であり、
前記外周円の半径は、前記第１内周円の半径の５．５７倍である
ことを特徴とする送信方法。
【請求項３６】
請求項３５に記載の送信方法であって、
前記誤り訂正符号化ステップでは、符号長が４４８８０ビットのLDPC符号による誤り訂正符号化を行い、
前記LDPC符号の検査行列は、その検査行列の、前記符号化率に応じた情報長に対応する部分行列の１の要素の位置を３７４列毎に表す検査行列初期値テーブルによって定まる前記部分行列の１の要素を、列方向に３７４列毎の周期で配置して構成され、
前記検査行列初期値テーブルは、
1372  1492  2242  2362  3502  3622  6472  7912  8362  10252
3775  4732  6682  7942  9712  10162 10501 10343 10852 11184
1086  2482  2812  2932  5550  5602  6807  6862  8433  10042
1282  2844  5543  6147  7492  8122  8842  10282 10582 11573
682   986   2274  5780  5872  6595  7712  7674  7972  10828
1552  3000  5218  5182  5423  5635  7528  8756  9742  10553
473   2431  4224  4952  4762  6542  7413  8905  9446  11242
1262  1582  1793  3865  4590  4852  7854  8032  10137 11433
1109  1225  2302  3382  4232  6352  7312  8637  9757  10134
1922  4882  4972  5307  5610  7913  9204  10372 10860 11582
1111  2123  3833  4711  6238  6353  7102  8260  8872  11512
563   2003  3988  3748  3832  6515  7105  8550  10588 10617
689   1102  1735  2724  3023  4135  5309  7026  8334  9532
1384  1882  3594  4385  5784  9832  10752 11064 11274 11393
1316  1373  2040  4287  5483  6239  8878  9745  10855 11454
5243  7344  7493  
1710  3597  11007
3472  6323  10974
1649  3082  5812
6444  9481  9809
1134  3352  9502
4553  8782  10972
4462  7073  8814
4781  10023 9989
2303  5754  6262
3055  5513  7162
3053  8337  9952
4012  4853  7015
3685  4583  10709
4588  5184  5242
3952  4288  7884
3112  5303  11152
803   5999  9144
688   1734  3202
2363  9412  9862
3052  7223  7794
8453  9954  11572
562   5093  9172
4709  5693  10095
5752  8573  11004
2244  4403  8452
4258  9442  9534
3263  5157  10919
7553  8932  11488
1402  3683  4644
3353  6684  8062
2093  8002  10164
2820  7432  7824
5363  6804  9232
3203  7734  10167
8518  9085  9052
2723  2995  9802
3328  9112  10614
3474  5046  8583
653   7137  7434
1294  6059  11484
1224  1343  1912
2184  4253  8512
1764  6474  8367
4915  6237  7914
1073  10494 11182
2453  2997  3292
4468  6954  10497
5964  6273  7252
3773  8572  8664
2008  2097  2064
4858  4942  8939
623   4764  8392
2760  6983  10192
982   2573  2694
1732  3743  9024
6712  9332  11223
1252  11363 11544
4312  6365  8662
3303  6925  11135
2753  6811  7225
4314  10823 11062
3448  3924  9562
5453  7704  9622
742   6628  7174
867   833   5632
6481  6717  11373
2452  7583  9324
2640  7222  8902
6173  9352  10889
1222  1522  7582
5758  6234  11452
2100  7020  10822
2633  4792  8214
からなる
ことを特徴とする送信方法。
【請求項３７】
少なくとも１つの誤り訂正符号による符号化を行い、32APSK変調してディジタルデータ伝送を行う送信装置であって、
符号化率が９７／１２０の符号による誤り訂正符号化を行う誤り訂正符号化手段を備え、
前記32APSK変調の信号点は、第１内周円上の４点の信号点、前記第１内周円よりも半径が大の第２内周円上の１２点の信号点、及び外周円上の１６点の信号点であり、
前記第２内周円の半径は、前記第１内周円の半径の２．７３倍であり、
前記外周円の半径は、前記第１内周円の半径の５．０５倍である
ことを特徴とする送信装置。
【請求項３８】
請求項３７に記載の送信装置であって、
前記誤り訂正符号化手段は、符号長が４４８８０ビットのLDPC符号による誤り訂正符号化を行い、
前記LDPC符号の検査行列は、その検査行列の、前記符号化率に応じた情報長に対応する部分行列の１の要素の位置を３７４列毎に表す検査行列初期値テーブルによって定まる前記部分行列の１の要素を、列方向に３７４列毎の周期で配置して構成され、
前記検査行列初期値テーブルは、
1215  1303  1606  1628  1804  2200  2244  5522  8475  8514
1364  2122  3569  4163  4554  4906  5418  4109  7150  8250
1043  1220  2916  4604  4827  6094  6492  6996  7527  8275
1134  2530  4052  3072  6060  5711  6170  6210  6938  8409
1321  1672  2073  2426  3481  4480  7678  7421  7835  8519
1598  1611  2200  2024  4938  5106  5216  6434  7750  8011
1932  1677  2800  3345  5811  6161  7132  7326  7713  7524
1855  1084  5315  5399  5846  6047  6497  7567  8414  7907
1262  3747  4097  5788  5733  6109  6832  6976  8437  8489
902   2082  1986  2479  2926  3666  4527  6857  8145  8522
1067  2848  4332  4822  4603  4759  5250  6182  6296  7900
2465  4449  4402
3939  5505  8147
4444  5346  7062
2046  3235  4116
2427  4335  5033
2118  4322  7480
819   1277  8343
3834  5128  6248
1877  2377  2513
2179  5632  8492
3332  7656  7925
930   2332  6424
804   6056  7350
2757  6645  7174
3547  5232  6940
2229  5493  7943
2008  2794  2884
2135  3158  3874
1149  2883  8010
4423  4445  8379
688   3036  4011
3272  3882  5414
890   1722  3239
4453  5638  7806
2730  4847  5588
1240  3058  7788
4533  6798  6954
3037  6715  7866
871   3640  6426
2797  8097  8421
1830  3549  3762
3786  3938  4229
3702  4752  7722
748   1023  7568
2150  2136  2913
3307  8301  8580
1543  5172  6956
684   6249  7876
6030  7041  7634
2048  2597  5109
2795  4555  6842
3306  4050  5214
3631  4957  8272
2514  4889  8541
2784  6759  8234
3940  5084  8382
6297  6634  6580
1129  8300  8470
2420  3349  7239
1480  6475  6804
841   2028  6436
3301  5766  6116
552   5045  7539
3279  4539  7422
2333  6820  8118
2268  6870  8316
4026  5921  8013
731   1212  6167
3438  5509  6688
1282  5594  8123
1903  3791  7551
893   1440  1501
1914  4340  6628
2647  2994  5018
2786  3245  8016
1614  3743  5258
1018  5065  6293
4291  6937  7640
3636  6077  7992
1265  1586  5765
3830  4599  6716
1122  7508  8213
1567  3213  6471
4978  5544  5874
2993  4405  5786
1826  4885  5681
4664  5907  6338
2621  3542  6491
2178  6143  6974
4105  7267  7282
1232  1431  5808
947   6103  7182
3752  5173  6060
2816  3635  6073
1343  4226  7744
3241  7047  7546
からなる
ことを特徴とする送信装置。
【請求項３９】
少なくとも１つの誤り訂正符号による符号化を行い、32APSK変調してディジタルデータ伝送を行う送信方法であって、
符号化率が９７／１２０の符号による誤り訂正符号化を行う誤り訂正符号化ステップを備え、
前記32APSK変調の信号点は、第１内周円上の４点の信号点、前記第１内周円よりも半径が大の第２内周円上の１２点の信号点、及び外周円上の１６点の信号点であり、
前記第２内周円の半径は、前記第１内周円の半径の２．７３倍であり、
前記外周円の半径は、前記第１内周円の半径の５．０５倍である
ことを特徴とする送信方法。
【請求項４０】
請求項３９に記載の送信方法であって、
前記誤り訂正符号化ステップでは、符号長が４４８８０ビットのLDPC符号による誤り訂正符号化を行い、
前記LDPC符号の検査行列は、その検査行列の、前記符号化率に応じた情報長に対応する部分行列の１の要素の位置を３７４列毎に表す検査行列初期値テーブルによって定まる前記部分行列の１の要素を、列方向に３７４列毎の周期で配置して構成され、
前記検査行列初期値テーブルは、
1215  1303  1606  1628  1804  2200  2244  5522  8475  8514
1364  2122  3569  4163  4554  4906  5418  4109  7150  8250
1043  1220  2916  4604  4827  6094  6492  6996  7527  8275
1134  2530  4052  3072  6060  5711  6170  6210  6938  8409
1321  1672  2073  2426  3481  4480  7678  7421  7835  8519
1598  1611  2200  2024  4938  5106  5216  6434  7750  8011
1932  1677  2800  3345  5811  6161  7132  7326  7713  7524
1855  1084  5315  5399  5846  6047  6497  7567  8414  7907
1262  3747  4097  5788  5733  6109  6832  6976  8437  8489
902   2082  1986  2479  2926  3666  4527  6857  8145  8522
1067  2848  4332  4822  4603  4759  5250  6182  6296  7900
2465  4449  4402
3939  5505  8147
4444  5346  7062
2046  3235  4116
2427  4335  5033
2118  4322  7480
819   1277  8343
3834  5128  6248
1877  2377  2513
2179  5632  8492
3332  7656  7925
930   2332  6424
804   6056  7350
2757  6645  7174
3547  5232  6940
2229  5493  7943
2008  2794  2884
2135  3158  3874
1149  2883  8010
4423  4445  8379
688   3036  4011
3272  3882  5414
890   1722  3239
4453  5638  7806
2730  4847  5588
1240  3058  7788
4533  6798  6954
3037  6715  7866
871   3640  6426
2797  8097  8421
1830  3549  3762
3786  3938  4229
3702  4752  7722
748   1023  7568
2150  2136  2913
3307  8301  8580
1543  5172  6956
684   6249  7876
6030  7041  7634
2048  2597  5109
2795  4555  6842
3306  4050  5214
3631  4957  8272
2514  4889  8541
2784  6759  8234
3940  5084  8382
6297  6634  6580
1129  8300  8470
2420  3349  7239
1480  6475  6804
841   2028  6436
3301  5766  6116
552   5045  7539
3279  4539  7422
2333  6820  8118
2268  6870  8316
4026  5921  8013
731   1212  6167
3438  5509  6688
1282  5594  8123
1903  3791  7551
893   1440  1501
1914  4340  6628
2647  2994  5018
2786  3245  8016
1614  3743  5258
1018  5065  6293
4291  6937  7640
3636  6077  7992
1265  1586  5765
3830  4599  6716
1122  7508  8213
1567  3213  6471
4978  5544  5874
2993  4405  5786
1826  4885  5681
4664  5907  6338
2621  3542  6491
2178  6143  6974
4105  7267  7282
1232  1431  5808
947   6103  7182
3752  5173  6060
2816  3635  6073
1343  4226  7744
3241  7047  7546
からなる
ことを特徴とする送信方法。
【請求項４１】
少なくとも１つの誤り訂正符号による符号化を行い、32APSK変調してディジタルデータ伝送を行う送信装置であって、
符号化率が１０１／１２０の符号による誤り訂正符号化を行う誤り訂正符号化手段を備え、
前記32APSK変調の信号点は、第１内周円上の４点の信号点、前記第１内周円よりも半径が大の第２内周円上の１２点の信号点、及び外周円上の１６点の信号点であり、
前記第２内周円の半径は、前記第１内周円の半径の２．６７倍であり、
前記外周円の半径は、前記第１内周円の半径の４．８０倍である
ことを特徴とする送信装置。
【請求項４２】
請求項４１に記載の送信装置であって、
前記誤り訂正符号化手段は、符号長が４４８８０ビットのLDPC符号による誤り訂正符号化を行い、
前記LDPC符号の検査行列は、その検査行列の、前記符号化率に応じた情報長に対応する部分行列の１の要素の位置を３７４列毎に表す検査行列初期値テーブルによって定まる前記部分行列の１の要素を、列方向に３７４列毎の周期で配置して構成され、
前記検査行列初期値テーブルは、
836   3140  3644  3968  4238  5858  5930  6470  6542  6866
1183  2385  3689  3248  3680  4112  4616  4868  5210  6344
494   1179  2908  3158  3715  5432  5426  5617  6998  6600
1325  2485  3466  5228  4605  5244  6102  6286  5107  6955
880   2704  3752  4204  4493  5403  6368  6308  5265  6950
538   1209  1201  1330  2205  2887  2931  3016  3613  6036
1699  2414  2441  1307  3886  4716  5761  6712  6817  5491
1299  1143  1974  2683  3880  4554  4851  5714  5811  6896
913   2626  4797  2922  3181  4324  5023  5936  6717  2455
2620  2983  3267  3036  4460  5026  5366  6428  6442  6644
2115  3862  3472  4369  4889  6431  6995  6743  7086  6093
3375  5631  7082
972   1348  5296
1001  1365  1684
1396  4861  4841
5103  5607  6092
1089  2876  5303
2731  4742  5733
1214  1594  5145
2046  4078  5566
3252  6375  6528
2138  2942  6892
983   3759  5216
1402  1888  4552
4033  6110  6794
2510  4725  6459
1188  3936  6868
430   900   3284
651   6083  6115
2973  4458  4475
2592  3141  5737
2194  5620  6060
3785  4332  4562
1652  4412  4736
778   2943  7104
695   2619  6133
2104  3650  6099
1680  6920  6970
1526  2109  3268
732   1075  3914
2958  3393  5055
1858  6297  6926
3673  3667  6852
3445  5500  6503
787   3071  6512
477   712   2852
914   2121  2898
2187  3251  3769
391   4383  6766
1338  1713  5858
1182  1905  2622
459   685   2150
2048  4077  4976
389   2360  2858
482   3852  5918
1666  4881  6507
1304  2709  5788
578   5561  6276
1938  2456  4323
929   1559  5859
1941  3070  3266
2710  3820  4452
4295  5300  5717
841   1845  4461
2087  3257  5057
3199  4322  4796
3992  4258  4639
3547  3786  5040
1099  3646  5320
1199  1593  2116
1835  6078  6693
1360  4214  5686
1655  2661  5662
3478  5227  5993
3201  4482  5066
659   1701  6062
4720  5070  6264
2408  4415  6264
2259  5124  7054
5558  5810  5863
3205  4959  6353
1305  3467  6132
639   4348  5894
567   3050  4065
1082  2497  4129
2006  5420  5247
1358  1600  3883
1060  1136  2716
1620  2407  6841
1899  6146  6386
1492  1792  4762
606   1648  4064
679   2534  7084
4403  6195  6601
3704  4840  5560
612   2406  2755
523   5545  6783
2296  3774  6996
1413  4713  7033
2386  3119  5283
3291  4930  6981
からなる
ことを特徴とする送信装置。
【請求項４３】
少なくとも１つの誤り訂正符号による符号化を行い、32APSK変調してディジタルデータ伝送を行う送信方法であって、
符号化率が１０１／１２０の符号による誤り訂正符号化を行う誤り訂正符号化ステップを備え、
前記32APSK変調の信号点は、第１内周円上の４点の信号点、前記第１内周円よりも半径が大の第２内周円上の１２点の信号点、及び外周円上の１６点の信号点であり、
前記第２内周円の半径は、前記第１内周円の半径の２．６７倍であり、
前記外周円の半径は、前記第１内周円の半径の４．８０倍である
ことを特徴とする送信方法。
【請求項４４】
請求項４３に記載の送信方法であって、
前記誤り訂正符号化ステップでは、符号長が４４８８０ビットのLDPC符号による誤り訂正符号化を行い、
前記LDPC符号の検査行列は、その検査行列の、前記符号化率に応じた情報長に対応する部分行列の１の要素の位置を３７４列毎に表す検査行列初期値テーブルによって定まる前記部分行列の１の要素を、列方向に３７４列毎の周期で配置して構成され、
前記検査行列初期値テーブルは、
836   3140  3644  3968  4238  5858  5930  6470  6542  6866
1183  2385  3689  3248  3680  4112  4616  4868  5210  6344
494   1179  2908  3158  3715  5432  5426  5617  6998  6600
1325  2485  3466  5228  4605  5244  6102  6286  5107  6955
880   2704  3752  4204  4493  5403  6368  6308  5265  6950
538   1209  1201  1330  2205  2887  2931  3016  3613  6036
1699  2414  2441  1307  3886  4716  5761  6712  6817  5491
1299  1143  1974  2683  3880  4554  4851  5714  5811  6896
913   2626  4797  2922  3181  4324  5023  5936  6717  2455
2620  2983  3267  3036  4460  5026  5366  6428  6442  6644
2115  3862  3472  4369  4889  6431  6995  6743  7086  6093
3375  5631  7082
972   1348  5296
1001  1365  1684
1396  4861  4841
5103  5607  6092
1089  2876  5303
2731  4742  5733
1214  1594  5145
2046  4078  5566
3252  6375  6528
2138  2942  6892
983   3759  5216
1402  1888  4552
4033  6110  6794
2510  4725  6459
1188  3936  6868
430   900   3284
651   6083  6115
2973  4458  4475
2592  3141  5737
2194  5620  6060
3785  4332  4562
1652  4412  4736
778   2943  7104
695   2619  6133
2104  3650  6099
1680  6920  6970
1526  2109  3268
732   1075  3914
2958  3393  5055
1858  6297  6926
3673  3667  6852
3445  5500  6503
787   3071  6512
477   712   2852
914   2121  2898
2187  3251  3769
391   4383  6766
1338  1713  5858
1182  1905  2622
459   685   2150
2048  4077  4976
389   2360  2858
482   3852  5918
1666  4881  6507
1304  2709  5788
578   5561  6276
1938  2456  4323
929   1559  5859
1941  3070  3266
2710  3820  4452
4295  5300  5717
841   1845  4461
2087  3257  5057
3199  4322  4796
3992  4258  4639
3547  3786  5040
1099  3646  5320
1199  1593  2116
1835  6078  6693
1360  4214  5686
1655  2661  5662
3478  5227  5993
3201  4482  5066
659   1701  6062
4720  5070  6264
2408  4415  6264
2259  5124  7054
5558  5810  5863
3205  4959  6353
1305  3467  6132
639   4348  5894
567   3050  4065
1082  2497  4129
2006  5420  5247
1358  1600  3883
1060  1136  2716
1620  2407  6841
1899  6146  6386
1492  1792  4762
606   1648  4064
679   2534  7084
4403  6195  6601
3704  4840  5560
612   2406  2755
523   5545  6783
2296  3774  6996
1413  4713  7033
2386  3119  5283
3291  4930  6981
からなる
ことを特徴とする送信方法。
【請求項４５】
少なくとも１つの誤り訂正符号による符号化を行い、32APSK変調してディジタルデータ伝送を行う送信装置であって、
符号化率が７／８の符号による誤り訂正符号化を行う誤り訂正符号化手段を備え、
前記32APSK変調の信号点は、第１内周円上の４点の信号点、前記第１内周円よりも半径が大の第２内周円上の１２点の信号点、及び外周円上の１６点の信号点であり、
前記第２内周円の半径は、前記第１内周円の半径の２．７６倍であり、
前記外周円の半径は、前記第１内周円の半径の４．８２倍である
ことを特徴とする送信装置。
【請求項４６】
請求項４５に記載の送信装置であって、
前記誤り訂正符号化手段は、符号長が４４８８０ビットのLDPC符号による誤り訂正符号化を行い、
前記LDPC符号の検査行列は、その検査行列の、前記符号化率に応じた情報長に対応する部分行列の１の要素の位置を３７４列毎に表す検査行列初期値テーブルによって定まる前記部分行列の１の要素を、列方向に３７４列毎の周期で配置して構成され、
前記検査行列初期値テーブルは、
93    1986  2504  2631  2810  2877  3763  4354  4824
76    385   1193  1434  3481  3979  4379  4436  4587
160   350   911   964   1180  1428  2212  3465  4738
130   389   620   865   1966  1999  2315  3714  4392
139   2226  2900  2932  3167  3550  4630  5155  5271
163   519   902   1789  2809  3731  3759  5270  5287
390   2117  2436  2877  3378  3731  4882  5205  5463
2131  3304  3681  4382  4462  4594  4808  4929  4985
592   676   3162  3391  3817  4392  4847  5492  5513
640   1392  1583  1742  2649  3827  3918  4029  4319
479   669   1097  1380  2222  2538  2809  3727  3750
1214  1592  2559  3574  3966  4108  4284  4646  4930
205   641   1947  2048  2066  2589  3277  3999  4869
424   662   1243  1414  1873  1943  2212  3271  3493
993   1122  1453  2626  3469  3568  3981  4930  5392
892   928   3979
90    2273  4406
1890  2999  3206
2411  4980  5104
712   3958  4361
497   1159  3611
3145  4022  4896
1120  2568  3522
132   888   980
934   1275  2660
2797  3622  5588
2797  4621  5312
4070  4922  5171
851   2474  3190
57    2355  2527
3254  3519  5061
484   1948  4085
405   1895  5547
4288  4338  5337
1695  4773  5356
810   2881  5523
1077  2731  3000
796   3631  5170
1028  1679  3049
1138  3176  3866
2928  3499  4448
1079  1322  4875
1651  2305  3871
3223  3792  5541
833   2418  5504
1918  3292  5534
2953  4430  5553
1487  4715  4964
2396  2686  3438
4201  4519  5427
179   1193  3181
848   987   2822
1136  2399  4467
2909  3650  4553
129   1325  5190
3046  5252  5403
4120  4290  4687
150   3304  5605
16    4685  5478
2910  3667  4453
2471  2565  4228
1694  4247  4900
2116  4092  4412
3003  4733  5351
1377  1432  5404
1024  3100  3224
681   2154  5526
1844  1985  4974
330   2520  3746
2573  3454  5496
2088  4939  5384
1072  3111  3171
3672  3858  5543
2211  5080  5325
673   1822  2238
2003  2825  4007
2880  3302  4719
2080  2877  5362
402   756   2132
2318  2523  5597
241   1344  5488
3164  3215  5465
24    1943  2458
1704  5151  5608
1071  2514  3944
645   2392  3526
1484  1586  5052
3551  4029  5016
891   2493  5049
1686  3183  5438
3366  3538  3698
2033  3490  3792
1366  5137  5476
635   2040  5395
1678  1694  4675
268   849   1655
1400  2723  5093
363   1781  5053
1925  2804  2956
505   1267  2720
1880  2601  4547
2258  3386  5337
2094  5123  5159
1881  2988  3881
201   690   1016
からなる
ことを特徴とする送信装置。
【請求項４７】
少なくとも１つの誤り訂正符号による符号化を行い、32APSK変調してディジタルデータ伝送を行う送信方法であって、
符号化率が７／８の符号による誤り訂正符号化を行う誤り訂正符号化ステップを備え、
前記32APSK変調の信号点は、第１内周円上の４点の信号点、前記第１内周円よりも半径が大の第２内周円上の１２点の信号点、及び外周円上の１６点の信号点であり、
前記第２内周円の半径は、前記第１内周円の半径の２．７６倍であり、
前記外周円の半径は、前記第１内周円の半径の４．８２倍である
ことを特徴とする送信方法。
【請求項４８】
請求項４７に記載の送信方法であって、
前記誤り訂正符号化ステップでは、符号長が４４８８０ビットのLDPC符号による誤り訂正符号化を行い、
前記LDPC符号の検査行列は、その検査行列の、前記符号化率に応じた情報長に対応する部分行列の１の要素の位置を３７４列毎に表す検査行列初期値テーブルによって定まる前記部分行列の１の要素を、列方向に３７４列毎の周期で配置して構成され、
前記検査行列初期値テーブルは、
93    1986  2504  2631  2810  2877  3763  4354  4824
76    385   1193  1434  3481  3979  4379  4436  4587
160   350   911   964   1180  1428  2212  3465  4738
130   389   620   865   1966  1999  2315  3714  4392
139   2226  2900  2932  3167  3550  4630  5155  5271
163   519   902   1789  2809  3731  3759  5270  5287
390   2117  2436  2877  3378  3731  4882  5205  5463
2131  3304  3681  4382  4462  4594  4808  4929  4985
592   676   3162  3391  3817  4392  4847  5492  5513
640   1392  1583  1742  2649  3827  3918  4029  4319
479   669   1097  1380  2222  2538  2809  3727  3750
1214  1592  2559  3574  3966  4108  4284  4646  4930
205   641   1947  2048  2066  2589  3277  3999  4869
424   662   1243  1414  1873  1943  2212  3271  3493
993   1122  1453  2626  3469  3568  3981  4930  5392
892   928   3979
90    2273  4406
1890  2999  3206
2411  4980  5104
712   3958  4361
497   1159  3611
3145  4022  4896
1120  2568  3522
132   888   980
934   1275  2660
2797  3622  5588
2797  4621  5312
4070  4922  5171
851   2474  3190
57    2355  2527
3254  3519  5061
484   1948  4085
405   1895  5547
4288  4338  5337
1695  4773  5356
810   2881  5523
1077  2731  3000
796   3631  5170
1028  1679  3049
1138  3176  3866
2928  3499  4448
1079  1322  4875
1651  2305  3871
3223  3792  5541
833   2418  5504
1918  3292  5534
2953  4430  5553
1487  4715  4964
2396  2686  3438
4201  4519  5427
179   1193  3181
848   987   2822
1136  2399  4467
2909  3650  4553
129   1325  5190
3046  5252  5403
4120  4290  4687
150   3304  5605
16    4685  5478
2910  3667  4453
2471  2565  4228
1694  4247  4900
2116  4092  4412
3003  4733  5351
1377  1432  5404
1024  3100  3224
681   2154  5526
1844  1985  4974
330   2520  3746
2573  3454  5496
2088  4939  5384
1072  3111  3171
3672  3858  5543
2211  5080  5325
673   1822  2238
2003  2825  4007
2880  3302  4719
2080  2877  5362
402   756   2132
2318  2523  5597
241   1344  5488
3164  3215  5465
24    1943  2458
1704  5151  5608
1071  2514  3944
645   2392  3526
1484  1586  5052
3551  4029  5016
891   2493  5049
1686  3183  5438
3366  3538  3698
2033  3490  3792
1366  5137  5476
635   2040  5395
1678  1694  4675
268   849   1655
1400  2723  5093
363   1781  5053
1925  2804  2956
505   1267  2720
1880  2601  4547
2258  3386  5337
2094  5123  5159
1881  2988  3881
201   690   1016
からなる
ことを特徴とする送信方法。
【請求項４９】
少なくとも１つの誤り訂正符号による符号化を行い、32APSK変調してディジタルデータ伝送を行う送信装置であって、
符号化率が１０９／１２０の符号による誤り訂正符号化を行う誤り訂正符号化手段を備え、
前記32APSK変調の信号点は、第１内周円上の４点の信号点、前記第１内周円よりも半径が大の第２内周円上の１２点の信号点、及び外周円上の１６点の信号点であり、
前記第２内周円の半径は、前記第１内周円の半径の２．６９倍であり、
前記外周円の半径は、前記第１内周円の半径の４．６６倍である
ことを特徴とする送信装置。
【請求項５０】
請求項４９に記載の送信装置であって、
前記誤り訂正符号化手段は、符号長が４４８８０ビットのLDPC符号による誤り訂正符号化を行い、
前記LDPC符号の検査行列は、その検査行列の、前記符号化率に応じた情報長に対応する部分行列の１の要素の位置を３７４列毎に表す検査行列初期値テーブルによって定まる前記部分行列の１の要素を、列方向に３７４列毎の周期で配置して構成され、
前記検査行列初期値テーブルは、
220   484   3688  3808
880   1335  2704  4106
544   556   2092  2416
1504  1660  2152
1336  3700  3891
1564  2320  4024
1168  2644  4060
1958  2056  3712
938   2992  3004
3100  3459  4047
1045  1576  3050
278   1826  2235
1000  1984  3255
1178  3662  3724
172   2907  3532
160   2380  3064
628   1116  1790
579   2212  3328
302   435   1264
1479  1792  3796
1300  3591  3901
820   1143  3856
724   1093  2968
1106  3099  3604
255   2164  2656
951   1684  3472
592   2027  2308
2473  2487  3887
1024  1288  2269
736   1851  3172
1166  2436  2547
374   1312  2848
854   1924  3304
456   1108  1372
950   2091  2799
915   1708  1970
304   1059  3804
292   2030  2620
841   1240  1827
1492  2376  3160
546   976   1813
2127  2786  3972
604   2871  3652
471   2822  3040
290   640   3544
2282  2824  3784
1204  3500  4055
699   1743  3364
527   1599  2978
1250  3748  4074
316   373   2692
3220  3324  3490
925   3431  3736
1934  2007  3904
734   1971  2584
2055  3279  3964
1551  1672  4108
1596  2488  2560
1518  3614  3916
2607  3013  4012
663   2942  3940
1659  3267  3730
1740  2559  2752
496   1539  1800
2437  2798  4094
817   1420  3649
1480  1863  2200
2031  2187  2884
274   2716  3049
1491  2960  3232
1899  2523  3316
844   1655  2428
2339  2474  3919
388   2869  3952
999   2139  3508
1180  2115  2668
2379  3520  3589
564   2728  3903
616   1153  3196
697   759   3388
975   1864  3347
711   1418  2307
405   827   1712
1466  3107  3396
2691  3480  3992
952   2173  2605
519   543   1744
1146  1931  2812
1702  2919  3411
687   1593  1634
3384  3460  3528
856   2232  3170
195   411   1443
2522  3190  3988
1406  2377  2464
387   3202  3976
1320  2248  2795
243   2087  2367
448   1227  3698
1478  2999  3208
2546  2619  2632
196   1107  2272
2943  3178  3855
1252  1742  3551
364   591   3076
807   1404  1900
1192  3239  3579
890   2068  3650
793   1850  4048
からなる
ことを特徴とする送信装置。
【請求項５１】
少なくとも１つの誤り訂正符号による符号化を行い、32APSK変調してディジタルデータ伝送を行う送信方法であって、
符号化率が１０９／１２０の符号による誤り訂正符号化を行う誤り訂正符号化ステップを備え、
前記32APSK変調の信号点は、第１内周円上の４点の信号点、前記第１内周円よりも半径が大の第２内周円上の１２点の信号点、及び外周円上の１６点の信号点であり、
前記第２内周円の半径は、前記第１内周円の半径の２．６９倍であり、
前記外周円の半径は、前記第１内周円の半径の４．６６倍である
ことを特徴とする送信方法。
【請求項５２】
請求項５１に記載の送信方法であって、
前記誤り訂正符号化ステップでは、符号長が４４８８０ビットのLDPC符号による誤り訂正符号化を行い、
前記LDPC符号の検査行列は、その検査行列の、前記符号化率に応じた情報長に対応する部分行列の１の要素の位置を３７４列毎に表す検査行列初期値テーブルによって定まる前記部分行列の１の要素を、列方向に３７４列毎の周期で配置して構成され、
前記検査行列初期値テーブルは、
220   484   3688  3808
880   1335  2704  4106
544   556   2092  2416
1504  1660  2152
1336  3700  3891
1564  2320  4024
1168  2644  4060
1958  2056  3712
938   2992  3004
3100  3459  4047
1045  1576  3050
278   1826  2235
1000  1984  3255
1178  3662  3724
172   2907  3532
160   2380  3064
628   1116  1790
579   2212  3328
302   435   1264
1479  1792  3796
1300  3591  3901
820   1143  3856
724   1093  2968
1106  3099  3604
255   2164  2656
951   1684  3472
592   2027  2308
2473  2487  3887
1024  1288  2269
736   1851  3172
1166  2436  2547
374   1312  2848
854   1924  3304
456   1108  1372
950   2091  2799
915   1708  1970
304   1059  3804
292   2030  2620
841   1240  1827
1492  2376  3160
546   976   1813
2127  2786  3972
604   2871  3652
471   2822  3040
290   640   3544
2282  2824  3784
1204  3500  4055
699   1743  3364
527   1599  2978
1250  3748  4074
316   373   2692
3220  3324  3490
925   3431  3736
1934  2007  3904
734   1971  2584
2055  3279  3964
1551  1672  4108
1596  2488  2560
1518  3614  3916
2607  3013  4012
663   2942  3940
1659  3267  3730
1740  2559  2752
496   1539  1800
2437  2798  4094
817   1420  3649
1480  1863  2200
2031  2187  2884
274   2716  3049
1491  2960  3232
1899  2523  3316
844   1655  2428
2339  2474  3919
388   2869  3952
999   2139  3508
1180  2115  2668
2379  3520  3589
564   2728  3903
616   1153  3196
697   759   3388
975   1864  3347
711   1418  2307
405   827   1712
1466  3107  3396
2691  3480  3992
952   2173  2605
519   543   1744
1146  1931  2812
1702  2919  3411
687   1593  1634
3384  3460  3528
856   2232  3170
195   411   1443
2522  3190  3988
1406  2377  2464
387   3202  3976
1320  2248  2795
243   2087  2367
448   1227  3698
1478  2999  3208
2546  2619  2632
196   1107  2272
2943  3178  3855
1252  1742  3551
364   591   3076
807   1404  1900
1192  3239  3579
890   2068  3650
793   1850  4048
からなる
ことを特徴とする送信方法。
【請求項５３】
請求項１，２，５，６，９，１０，１３，１４，１７，１８，２１，２２，２５，２６，２９，３０，３３，３４，３７，３８，４１，４２，４５，４６，４９、又は５０のいずれかに記載の送信装置で送信したデータを、前記信号点の配置に基づいて受信する
ことを特徴とする受信装置。
【請求項５４】
請求項２，６，１０，１４，１８，２２，２６，３０，３４，３８，４２，４６、又は５０のいずれかに記載の送信装置で送信したデータを、前記信号点の配置、及び前記検査行列に基づいて復号する
ことを特徴とする受信装置。
【発明の詳細な説明】
【技術分野】
【０００１】
本発明は、送信装置及び受信装置、並びに送信方法に関し、特に、例えば、誤り訂正符号ごとに、最適な信号点の配置を行う送信装置及び受信装置、並びに送信方法に関する。
【背景技術】
【０００２】
１９６２年にギャラガーによってLDPC（Low Density Parity Check）符号が提案され（例えば、非特許文献１参照）、近年シャノン限界に迫る性能を有する強力な誤り訂正符号の一つとして実用化されるようになってきている。
【０００３】
LDPC符号は、非常に疎な検査行列H（検査行列の要素が０と１からなり、且つ１の数が非常に少ない）により定義される線形符号である。LDPC符号の符号語Cは、情報ベクトルm及び生成行列Gを乗算する式（１）に従って生成することができる。
【０００４】
【数１】
0004856608.tif 000002
・・・（１）
【０００５】
ここで、生成行列Gは、検査行列Hの転置行列HTとの間に、式（２）の関係が成立する非零の行列である。
【０００６】
【数２】
0004856608.tif 000003
・・・（２）
【０００７】
予め非常に疎な検査行列Hを用意し、式（２）より生成行列Gを求め、式（１）を用いることでLDPC符号化された符号語を得ることが可能である。LDPC符号は、検査行列H内の行重み及び列重みが一定である正則LDPC符号と、一定でない非正則LDPC符号に分類される。LDPC符号で用いられる検査行列の構成方法については様々な構成方法が提案されており、列重み３の正則LDPC符号は復号性能が良く、行・列重みを最適化した非正則LDPC符号は正則LDPC符号よりも復号性能が良いことが報告されている（例えば、非特許文献２参照）。
【０００８】
ここで、図１は、行重み４、列重み３の正則LDPC符号の検査行列の例を示している。
【０００９】
なお、検査行列Hにおける、符号語cのパリティのパリティ長に対応する部分行列を下三角構造とすることで直接検査行列から符号語cを求めることが可能となるLDGM（Low Density Generation Matrix）構造が提案されている（例えば、非特許文献３参照）。
【００１０】
LDPC符号は、符号長を大きくし、適切な検査行列Hを用いることによりシャノン限界に迫る伝送特性が得られる強力な誤り訂正符号であり、ディジタルデータを伝送（送信）するディジタルデータ伝送システムの規格の１つである、例えば欧DVB-S2(Digital Video Broadcasting S2)規格において、LDPC符号が採用されている。
【００１１】
また、DVB-S2規格においては、理想的な誤り訂正符号化が行われたとき、所要の通信容量(1Hzあたりのビットレート)が最も低いC/N(Carrier to Noise Ratio)で達成されるように、ディジタル変調の信号点の配置が設計されている（非特許文献４参照）。
【００１２】
【非特許文献１】R. G. Gallager, “Low-Density Parity-Check Codes,” in Research Monograph series Cambridge, MIT Press, 1963年12月
【非特許文献２】D. J. C. MacKay, “Good error-correcting codes based on very sparse matrices,” IEEE Trans. Inform. Theory, vol.45, 1999, p.399−431
【非特許文献３】M. Rashidpour and S. H. Jamali, “Low-Density Parity-Check codes with Simple Irregular Semi-Random Parity Check Matrix for Finite-Length Applications, ” IEEE PIMRC 2003, Proc., 2003年9月, p.439−443
【非特許文献４】Riccardo De Gaudenzi et.al.,“Turbo-coded APSK modulations design for satellite broadband communications”, International Journal of Satellite Communications and Networking. 2006; 24: pp.261-281
【発明の開示】
【発明が解決しようとする課題】
【００１３】
信号点の配置を、非特許文献４に記載されているように決定した場合、その信号点は、現実に用いられる誤り訂正符号に対しては、最適な配置とはならず、伝送特性の劣化を生ずることがある。
【００１４】
本発明は、このような状況に鑑みてなされたものであり、誤り訂正符号ごとに、最適な信号点の配置を行い、これにより、伝送特性の劣化を防止することができるようにするものである。
【課題を解決するための手段】
【００１５】
本発明の第１の側面の送信装置、又は、送信方法は、少なくとも１つの誤り訂正符号による符号化を行い、16APSK変調してディジタルデータ伝送を行う送信装置、又は送信方法であって、符号化率が７３／１２０の符号による誤り訂正符号化を行う誤り訂正符号化手段又はステップを備え、前記16APSK変調の信号点は、内周円上の４点の信号点、及び外周円上の１２点の信号点であり、前記外周円の半径は、前記内周円の半径の２．８７倍であることを特徴とする。
【００１６】
なお、ここでいう半径比は、実装可能な限りこの値に近いものを用いるという意味である。例えば、実際の送信装置に含まれる変調器では、これらの最適な半径比に基づき、信号点座標へマッピングされ変調されるが、マッピングに用いるＤ／Ａコンバータが、例えば１０ビットの精度の場合には、信号点は２進１０ビットで表現できる振幅値以下の範囲でマッピングされ、その時の量子化精度の誤差を含む値となる。また、実際の受信装置に含まれる復調器では、これらの最適な半径比に基づき、最尤復号されるが、尤度計算に用いるテーブルが、例えば１０ビットの精度の場合には、信号点は２進１０ビットで表現できる振幅値以下の範囲で尤度計算がなされ、その時の尤度は量子化精度のに起因する誤差を含む値となる。(以下、同様)。
【００１７】
本発明の第１の側面においては、前記外周円の半径が、前記内周円の半径の２．８７倍になっている内周円上の４点の信号点、及び外周円上の１２点の信号点のうちのいずれかに、符号化率が７３／１２０の符号が配置される。
【００１８】
本発明の第２の側面の送信装置、又は送信方法は、少なくとも１つの誤り訂正符号による符号化を行い、16APSK変調してディジタルデータ伝送を行う送信装置、又は送信方法であって、符号化率が２７／４０の符号による誤り訂正符号化を行う誤り訂正符号化手段又はステップを備え、前記16APSK変調の信号点は、内周円上の４点の信号点、及び外周円上の１２点の信号点であり、前記外周円の半径は、前記内周円の半径の２．９２倍であることを特徴とする。
【００１９】
本発明の第２の側面においては、前記外周円の半径が、前記内周円の半径の２．９２倍になっている内周円上の４点の信号点、及び外周円上の１２点の信号点のうちのいずれかに、符号化率が２７／４０の符号が配置される。
【００２０】
本発明の第３の側面の送信装置、又は送信方法は、少なくとも１つの誤り訂正符号による符号化を行い、16APSK変調してディジタルデータ伝送を行う送信装置、又は送信方法であって、符号化率が８９／１２０の符号による誤り訂正符号化を行う誤り訂正符号化手段又はステップを備え、前記16APSK変調の信号点は、内周円上の４点の信号点、及び外周円上の１２点の信号点であり、前記外周円の半径は、前記内周円の半径の２．９７倍であることを特徴とする。
【００２１】
本発明の第３の側面においては、前記外周円の半径が、前記内周円の半径の２．９７倍になっている内周円上の４点の信号点、及び外周円上の１２点の信号点のうちのいずれかに、符号化率が８９／１２０の符号が配置される。
【００２２】
本発明の第４の側面の送信装置、又は送信方法は、少なくとも１つの誤り訂正符号による符号化を行い、16APSK変調してディジタルデータ伝送を行う送信装置、又は送信方法であって、符号化率が９７／１２０の符号による誤り訂正符号化を行う誤り訂正符号化手段又はステップを備え、前記16APSK変調の信号点は、内周円上の４点の信号点、及び外周円上の１２点の信号点であり、前記外周円の半径は、前記内周円の半径の２．７３倍であることを特徴とする。
【００２３】
本発明の第４の側面においては、前記外周円の半径が、前記内周円の半径の２．７３倍になっている内周円上の４点の信号点、及び外周円上の１２点の信号点のうちのいずれかに、符号化率が９７／１２０の符号が配置される。
【００２４】
本発明の第５の側面の送信装置、又は送信方法は、少なくとも１つの誤り訂正符号による符号化を行い、16APSK変調してディジタルデータ伝送を行う送信装置、又は送信方法であって、符号化率が１０１／１２０の符号による誤り訂正符号化を行う誤り訂正符号化手段又はステップを備え、前記16APSK変調の信号点は、内周円上の４点の信号点、及び外周円上の１２点の信号点であり、前記外周円の半径は、前記内周円の半径の２．６７倍であることを特徴とする。
【００２５】
本発明の第５の側面においては、前記外周円の半径が、前記内周円の半径の２．６７倍になっている内周円上の４点の信号点、及び外周円上の１２点の信号点のうちのいずれかに、符号化率が１０１／１２０の符号が配置される。
【００２６】
本発明の第６の側面の送信装置、又は送信方法は、少なくとも１つの誤り訂正符号による符号化を行い、16APSK変調してディジタルデータ伝送を行う送信装置、又は送信方法であって、符号化率が７／８の符号による誤り訂正符号化を行う誤り訂正符号化手段又はステップを備え、前記16APSK変調の信号点は、内周円上の４点の信号点、及び外周円上の１２点の信号点であり、前記外周円の半径は、前記内周円の半径の２．７６倍であることを特徴とする。
【００２７】
本発明の第６の側面においては、前記外周円の半径は、前記内周円の半径の２．７６倍になっている内周円上の４点の信号点、及び外周円上の１２点の信号点のうちのいずれかに、符号化率が７／８の符号が配置される。
【００２８】
本発明の第７の側面の送信装置、又は送信方法は、少なくとも１つの誤り訂正符号による符号化を行い、16APSK変調してディジタルデータ伝送を行う送信装置、又は送信方法であって、符号化率が１０９／１２０の符号による誤り訂正符号化を行う誤り訂正符号化手段又はステップを備え、前記16APSK変調の信号点は、内周円上の４点の信号点、及び外周円上の１２点の信号点であり、前記外周円の半径は、前記内周円の半径の２．６９倍であることを特徴とする。
【００２９】
本発明の第７の側面においては、前記外周円の半径が、前記内周円の半径の２．６９倍になっている内周円上の４点の信号点、及び外周円上の１２点の信号点のうちのいずれかに、符号化率が１０９／１２０の符号が配置される。
【００３０】
本発明の第８の側面の送信装置、又は送信方法は、少なくとも１つの誤り訂正符号による符号化を行い、32APSK変調してディジタルデータ伝送を行う送信装置、又は送信方法であって、符号化率が２７／４０の符号による誤り訂正符号化を行う誤り訂正符号化手段又はステップを備え、前記32APSK変調の信号点は、第１内周円上の４点の信号点、前記第１内周円よりも半径が大の第２内周円上の１２点の信号点、及び外周円上の１６点の信号点であり、前記第２内周円の半径は、前記第１内周円の半径の２．９２倍であり、前記外周円の半径は、前記第１内周円の半径の５．６８倍であることを特徴とする。
【００３１】
本発明の第８の側面においては、前記第２内周円の半径が、前記第１内周円の半径の２．９２倍になっており、前記外周円の半径が、前記第１内周円の半径の５．６８倍になっている第１内周円上の４点の信号点、第２内周円上の１２点の信号点、及び外周円上の１６点の信号点のうちのいずれかに、符号化率が２７／４０の符号が配置される。
【００３２】
本発明の第９の側面の送信装置、又は送信方法は、少なくとも１つの誤り訂正符号による符号化を行い、32APSK変調してディジタルデータ伝送を行う送信装置、又は送信方法であって、符号化率が８９／１２０の符号による誤り訂正符号化を行う誤り訂正符号化手段又はステップを備え、前記32APSK変調の信号点は、第１内周円上の４点の信号点、前記第１内周円よりも半径が大の第２内周円上の１２点の信号点、及び外周円上の１６点の信号点であり、前記第２内周円の半径は、前記第１内周円の半径の２．９７倍であり、前記外周円の半径は、前記第１内周円の半径の５．５７倍であることを特徴とする。
【００３３】
本発明の第９の側面においては、前記第２内周円の半径が、前記第１内周円の半径の２．９７倍になっており、前記外周円の半径が、前記第１内周円の半径の５．５７倍になっている第１内周円上の４点の信号点、第２内周円上の１２点の信号点、及び外周円上の１６点の信号点のうちのいずれかに、符号化率が８９／１２０の符号が配置される。
【００３４】
本発明の第１０の側面の送信装置、又は送信方法は、少なくとも１つの誤り訂正符号による符号化を行い、32APSK変調してディジタルデータ伝送を行う送信装置、又は送信方法であって、符号化率が９７／１２０の符号による誤り訂正符号化を行う誤り訂正符号化手段又はステップを備え、前記32APSK変調の信号点は、第１内周円上の４点の信号点、前記第１内周円よりも半径が大の第２内周円上の１２点の信号点、及び外周円上の１６点の信号点であり、前記第２内周円の半径は、前記第１内周円の半径の２．７３倍であり、前記外周円の半径は、前記第１内周円の半径の５．０５倍であることを特徴とする。
【００３５】
本発明の第１０の側面においては、前記第２内周円の半径が、前記第１内周円の半径の２．７３倍になっており、前記外周円の半径が、前記第１内周円の半径の５．０５倍になっている第１内周円上の４点の信号点、第２内周円上の１２点の信号点、及び外周円上の１６点の信号点のうちのいずれかに、符号化率が９７／１２０の符号が配置される。
【００３６】
本発明の第１１の側面の送信装置、又は送信方法は、少なくとも１つの誤り訂正符号による符号化を行い、32APSK変調してディジタルデータ伝送を行う送信装置、又は送信方法であって、符号化率が１０１／１２０の符号による誤り訂正符号化を行う誤り訂正符号化手段又はステップを備え、前記32APSK変調の信号点は、第１内周円上の４点の信号点、前記第１内周円よりも半径が大の第２内周円上の１２点の信号点、及び外周円上の１６点の信号点であり、前記第２内周円の半径は、前記第１内周円の半径の２．６７倍であり、前記外周円の半径は、前記第１内周円の半径の４．８０倍であることを特徴とする。
【００３７】
本発明の第１１の側面においては、前記第２内周円の半径が、前記第１内周円の半径の２．６７倍になっており、前記外周円の半径が、前記第１内周円の半径の４．８０倍になっている第１内周円上の４点の信号点、第２内周円上の１２点の信号点、及び外周円上の１６点の信号点のうちのいずれかに、符号化率が１０１／１２０の符号が配置される。
【００３８】
本発明の第１２の側面の送信装置、又は送信方法は、少なくとも１つの誤り訂正符号による符号化を行い、32APSK変調してディジタルデータ伝送を行う送信装置、又は送信方法であって、符号化率が７／８の符号による誤り訂正符号化を行う誤り訂正符号化手段又はステップを備え、前記32APSK変調の信号点は、第１内周円上の４点の信号点、前記第１内周円よりも半径が大の第２内周円上の１２点の信号点、及び外周円上の１６点の信号点であり、前記第２内周円の半径は、前記第１内周円の半径の２．７６倍であり、前記外周円の半径は、前記第１内周円の半径の４．８２倍であることを特徴とする。
【００３９】
本発明の第１２の側面においては、前記第２内周円の半径が、前記第１内周円の半径の２．７６倍になっており、前記外周円の半径が、前記第１内周円の半径の４．８２倍になっている第１内周円上の４点の信号点、第２内周円上の１２点の信号点、及び外周円上の１６点の信号点のうちのいずれかに、符号化率が７／８の符号が配置される。
【００４０】
本発明の第１３の側面の送信装置、又は送信方法は、少なくとも１つの誤り訂正符号による符号化を行い、32APSK変調してディジタルデータ伝送を行う送信装置、又は送信方法であって、符号化率が１０９／１２０の符号による誤り訂正符号化を行う誤り訂正符号化手段又はステップを備え、前記32APSK変調の信号点は、第１内周円上の４点の信号点、前記第１内周円よりも半径が大の第２内周円上の１２点の信号点、及び外周円上の１６点の信号点であり、前記第２内周円の半径は、前記第１内周円の半径の２．６９倍であり、前記外周円の半径は、前記第１内周円の半径の４．６６倍であることを特徴とする。
【００４１】
本発明の第１３の側面においては、前記第２内周円の半径が、前記第１内周円の半径の２．６９倍になっており、前記外周円の半径が、前記第１内周円の半径の４．６６倍になっている第１内周円上の４点の信号点、第２内周円上の１２点の信号点、及び外周円上の１６点の信号点のうちのいずれかに、符号化率が１０９／１２０の符号が配置される。
【００４２】
本発明の第１４の側面の受信装置は、第１ないし第１１の側面の送信装置で送信したデータを、前記信号点の配置に基づいて受信することを特徴とする。
【００４３】
本発明の第１４の側面においては、第１ないし第１１の側面の送信装置で送信したデータが、前記信号点の配置に基づいて受信される。
【００４４】
本発明の第１５の側面の受信装置は、第１ないし第１１の側面の送信装置で送信したデータを、前記信号点の配置、及び前記検査行列に基づいて復号することを特徴とする。
【００４５】
本発明の第１５の側面においては、第１ないし第１１の側面の送信装置で送信したデータが、前記信号点の配置、及び前記検査行列に基づいて復号される。
【発明の効果】
【００４６】
本発明の第１ないし第１３の側面によれば、誤り訂正符号ごとに、最適な信号点の配置が行われる。
【００４７】
本発明の第１４及び第１５の側面によれば、最適な信号点に配置された符号を受信することができる。
【発明を実施するための最良の形態】
【００４８】
以下、図面を参照して、本発明を適用したディジタル伝送システムを構成する送信装置及び受信装置の一実施の形態について説明する。
【００４９】
図２は、例えば、BSディジタル放送システム等に適用されるディジタルデータ伝送システムで用いる多重フレームの構成例を示す図である。
【００５０】
ディジタルデータ伝送システムの送信装置１（図３）は、図２に示す多重フレーム構成を用いることにより、伝送方式及び符号化率の指定を行う。そして、ディジタルデータ伝送システムの受信装置２（図５）は、このフレーム構成に基づいて、復調及び誤り訂正符号の復号を行う。
【００５１】
この多重フレーム構成において、スロットは制御情報、データ、外符号パリティ、スタッフビット及び内符号パリティにより構成され、その長さはSlビット、１フレームを構成するスロット数はN本となっている。また、スロットとは別に、同期、パイロット、及びTMCC(Transmission Multiplexing Configuration Control)とその誤り訂正パリティも備えており、その長さは、それぞれSyビット、Plビット及びTビットとなっており、スロット#１〜＃N／Eでは、それぞれSy×N／E、Pl×N／E、及びT×N／Eのビット数が割り当てられている。
【００５２】
ここで、スタッフビットは、バイト単位での処理をしやすくするために必要な場合のみ挿入されるビットである。このため、バイト単位での処理をしやすくする必要がない場合には挿入されない。例えば、制御情報として確保できるビット数が１８２ビットだったとし、その後にデータがXバイト後続したとする。この場合、制御情報は１８２ビット＝２２バイト十６ビットとなるため、バイト単位を基本として処理しようとすると、後続するバイト単位のデータをわざわざ２ビットシフトして、制御情報末尾の６ビットと接続して書き込む必要が生じ、受信装置２ではこの接続を元に戻し、元のバイト単位のデータに復元する必要が生じる。このような場合、制御情報に使えるビット数のうち、６ビットは情報伝送に使わないスタッフビットとする方がハードウェア化の点でメリットが大きい。
【００５３】
図２の多重フレーム構成では、内符号パリティをも包含している。このため、ダミースロットを挿入する規則は、ディジタル変調方式（以下、単に変調方式とも称する）自体の周波数利用効率のみを考慮すればよい。
【００５４】
また、既知の多重フレーム構成と異なり、後述するように、利用対象とする変調方式に割り当てられるダミースロット数が、符号化率に依存することなく決定される。尚、TMCC信号には、伝送の制御を行う情報（以下、伝送制御情報とも称する）が書き込まれており、各スロットに対し、伝送モードを指定できる、伝送モードに対応した値を有する。ここでいう伝送モードは、変調方式と内符号符号化率の組み合わせとして指定できるものである。
【００５５】
図２において、Nはフレームあたりのスロット数を示している。実際のNの値としては、ISDB−S(Satellite Integrated Services. Digital Broadcasting)では１スロットあたりのビットレートを約１．１Mbpsとしていることから、この条件を満たすことが望ましい。
【００５６】
そのため、ディジタルデータ伝送システムで採用する変調方式群のうち最大効率の変調方式が、８PSK(Phase Shift Keying)（３bps／Hz）、１６APSK(Amplitude Phase Shift Keying)（又は１６QAM(Quadrature Amplitude Modulation)、４bps／Hz）及び３２APSK（又は３２QAM、５bps／Hz）の場合、それぞれ伝送効率が、ISDB−SのTC８PSK（r：２／３、２bps／Hz）に比べ、１．５倍、２倍及び２．５倍となることから、スロット数Nはそれぞれ、４８スロット×１．５＝７２スロット、４８スロット×２＝９６スロット、及び４８スロット×２．５＝１２０スロットとすることが望ましい。
【００５７】
同期、パイロット並びにTMCC及びその誤り訂正パリティの領域の下にダミー（Dummy）領域を設けているのは、採用する変調方式群のうち最大効率の変調方式で伝送される主信号に対しては、一般に効率の低い変調方式を採用することが多く、その分だけ余分に変調シンボルを占有することになるから、この時間領域を確保しておくためである。尚、ダミー領域は仮想的なものであり、この領域のデータは実際には伝送されないことから、これに対応するメモリ領域を装備する必要はない。また、ダミーの量を規定しているEの値は、採用する変調方式群のうち最大効率の変調方式の周波数利用効率に対する、これらの信号を伝送する変調方式の周波数利用効率の比である。例えば、採用する変調方式群のうち最大効率の変調方式が３２APSK（又は３２QAM、５bps／Hz）で、これらの信号を伝送する変調方式がBPSK（１bps／Hz）であった場合、Eの値は５となる。同様に、採用する変調方式群のうち最大効率の変調方式が１６APSK（又は１６QAM、４bps／Hz）で、これらの信号を伝送する変調方式がBPSK（１bps／Hz）であった場合、Eの値は４となる。
【００５８】
スロット長Slは、符号の長さ（符号長）に依存する。近年、規格化されたDVB−S２方式では、符号長６４８００ビットのLDPC符号が用いられており、このクラスの符号が今後主流になってくることが想定される。このため、スロット長Slとしては符号長と同程度とすることが望ましい（条件１）。
【００５９】
また、MPEG−２TS（パケット長１８８バイト、先頭１バイトの同期符号を除くと１８７バイト=１４９６ビット）は今後もディジタル放送の主流になることから、複数の変調方式で１スロットのデータを過不足なく伝送できることが望ましい（条件２）。
【００６０】
また、複数の変調方式で１スロットのデータを過不足なく伝送するためには、各変調方式の変調シンボルあたりのビット数の最小公倍数である必要がある。例えば、伝送システムで採用する変調方式群を、BPSK（１ビット／シンボル）、QPSK（２ビット／シンボル）、８PSK（３ビット／シンボル）、１６APSK（又は１６QAM，４ビット／シンボル）及び３２APSK（又は３２QAM，５ビット／シンボル）とした場合、上記最小公倍数は、２×２×３×５＝６０ビットとなり、スロット長Slはこの整数倍である必要がある。スロット長をバイト単位にする必要がある場合には、さらに８の倍数でもある必要があり、その場合、６０と８の最小公倍数１２０の整数倍である必要がある（条件３）。
【００６１】
また、DVB−S２で採用されているような、周期性LDPC符号を内符号に利用する場合、その周期Mtは符号の作り易さから３６０前後とする必要がある。またMtを、送信しようとするデータ単位１８７バイト＝２３×１１×１７ビットの因数とすることで、データとLDPCパリティとの配分を柔軟に行えるため、この条件を満たすことになり、Mt＝３７４となり、スロット長Slは３７４＝２×１１×１７の整数倍とすることが望ましい（条件４）。
【００６２】
以上の条件２、３及び４を満たすためには、バイト単位で処理する必要がない場合、スロット長をLCM（３７４，６０）＝LCM（２×１１×１７，２×２×３×５）＝２×２×３×５×１１×１７＝１１２２０ビットの整数倍にすればよい（LCM：最小公倍数）。さらに条件１を満たすためには、６４８００と同程度の数字として、１１２２０×５＝５６１００及び１１２２０×６＝６７３２０とすればよい。しかし、後者は１６ビットで表現できる２16−１＝６５５３５を超えるため、ハードウェアの規模が急増する恐れがあることから、望ましくない。従って、スロット長Slは、５６１００ビットとすることが望ましい。また、データとしてLDPCパリティとの配分を柔軟に行うためには、制御情報と外符号パリティとスタッフビットのビット数の和（スタッフビットを使用しない場合は制御情報と外符号パリティのビット数の和、以下同じ）は、LDPCの周期Mt（＝３７４）の整数倍とする必要がある。尚、伝送しようとするデータの単位が１８７バイトでない場合、例えば、１８８バイト、１８９バイト、１９０バイト、及び１９２バイトの場合、同様の計算でそれぞれLDPCの周期Mtはそれぞれ３７６、３７８、３８０、及び３８４とする必要があり、このときのスロット長はそれぞれ、６２０４０、６０４８０、６３８４０及び６５２８０となる。
【００６３】
また、バイト単位で処理する必要がある場合、スロット長さをLCM（３７４，１２０）＝LCM（２×１１×１７，２×２×２×３×５）＝２×２×２×３×５×１１×１７＝２２４４０の整数倍にすればよい。また、条件１の６４８００と同程度の数字として、２２４４０×２＝４４８８０及び２２４４０×３＝６７３２０があるが、後者は同様の理由で望ましくない。従って、スロット長Slは４４８８０とすることが望ましい。また、データとLDPCパリティとの配分を柔軟に行うためには、制御情報と外符号パリティとスタッフビットのビット数の和は、LDPCの周期Mt（＝３７４）の整数倍とする必要がある。
【００６４】
以下では、複数の変調方式で１スロットのデータをバイト単位で効率的に処理できるように、スロット長Slは４４８８０の多重フレーム構造を扱う場合の送信装置１及び受信装置２について説明する。
【００６５】
図３は、ディジタルデータ伝送システムの送信装置１の構成例を示すブロック図である。
【００６６】
この送信装置１は、フレーム生成部１０、LDPC符号化部１１−１，１１−２、BCH符号化部１１−３，１１−４、エネルギー拡散部１２，１３、スイッチ１４、マッピング部１５及び時分割多重／直交変調部１６を備え、データストリームを送信する場合に、図２に示した多重フレームの信号を生成してから変調信号を生成するまでの一連の処理を行う。
【００６７】
フレーム生成部１０は、スロットS１ビットについて、制御情報と、データと、BCH符号化部１１−３により制御情報とデータが符号化された外符号パリティと、スタッフビットと、LDPC符号化部１１−１により制御情報、データ、及び外符号パリティ及びスタッフビットがLDPC符号化された内符号パリティとにより構成したスロット＃１〜＃Nから成るフレームを生成し、エネルギー拡散部１２に出力する。
【００６８】
また、フレーム生成部１０は、TMCC信号について、BCH符号化部１１−４によりBCHパリティを生成し、さらにLDPC符号化部１１−２によりLDPCパリティを生成する。尚、フレーム生成部１０により生成される多重フレームは、スロット数N、ダミーの量を規定するE、スロット長Sl、同期ビット長Sy、パイロットビット長Pl、並びにTMCC及びパリティビット長Tが前述した数になるように生成される。
【００６９】
BCH符号化部１１−３，１１−４は、外符号として、必要に応じて設けられる誤り訂正符号化処理であり、所定のデータに対してBCH符号化を施す。
【００７０】
LDPC符号化部１１−１，１１−２は、内符号として、所定のデータ又はBCH符号化データに対して、周期MtのLDPC符号化を施す。
【００７１】
エネルギー拡散部１２は、フレーム生成部１０により生成されたスロット＃１〜#Nを入力し、これらのデータ等全体に対して、エネルギー拡散（ビットランダム化）を行う。これは、擬似ランダムな「１」、及び「０」のパターンをM系列を使って発生させ、これとスロット内のデータとでMOD２により加算することにより実現する。これにより、「１」、又は「０」が連続することがなくなることから、受信装置２において、同期再生の安定化を図ることができる。
【００７２】
エネルギー拡散部１３は、フレーム生成部１０により生成された各スロットに対応する＃１〜#N／Eの所定の制御情報（図２に示すTビット内の情報）を入力し、エネルギー拡散部１２とともに、これらのデータ等全体に対して、エネルギー拡散（ビットランダム化）を行う。
【００７３】
スイッチ１４は、同期及びパイロット信号を適宜挿入しながら、スロット＃１〜#Nを各種変調方式に応じて切り換え、マッピング部１５により、TMCC同期で指定された変調方式によるマッピングを行う。時分割多重／直交変調部１６は、フレーム単位の時分割多重を行い、直交変調を施して、変調信号を生成する。
【００７４】
例えば、最大効率の変調方式を３２APSK（又は３２QAM）とし、N＝１２０、E＝５、Sl＝４４８８０、Sy＝１２０、Pl＝１６０、T＝１３２０とした場合、変調信号は、１フレーム分の情報を＃１〜＃１２０の変調スロットに分割して伝送される
【００７５】
図４は、変調信号のフォーマットを示している。
【００７６】
奇数番号の変調スロットでは、まずBPSK変調されたスロット同期Sync１（２４シンボル）及び当該変調スロットの変調方式に対応したパイロット信号（３２シンボル）が伝送される。続いて、TMCC信号により指定された変調方式で変調された、画像・音声・データ放送等が多重された主信号データ（１３６シンボル）と、BPSK変調されたTMCC信号（４シンボル）とが交互に６６回伝送される。偶数番号の変調スロットでは、まずBPSK変調されたスロット同期Sync２(２４シンボル)又はその反転パターン!Sync２（２４シンボル）及び当該変調スロットの変調方式に対応したパイロット信号（３２シンボル）が伝送される。続いて、TMCC信号により指定された変調方式で変調された、画像・音声・データ放送等が多重された主信号データ（１３６シンボル）と、BPSK変調されたTMCC信号（４シンボル）とが交互に６６回伝送される。
【００７７】
上記の同期パターンSync１、Sync２、及びその反転パターン！Sync２は擬似同期を避けるために、それ自体が鋭い自己相関ピークを持つものであるとともに、互いに低い相互相関を持つものである必要がある。このような符号として、Sync１として０x３６７１５a＝００１１０１１００１１１０００１０１０１１０１０、Sync２として０x５２f８６６=０１０１００１０１１１１１００００１１００１１０、そのビット反転パターン!Sync２として０xａｄ０７９９＝１０１０１１０１０００００１１１１００１１００１とすると擬似同期の少ない受信が可能となる。
【００７８】
このような処理を、１２０変調スロット分繰り返して行うことにより、TMCC信号に書き込まれた情報が受信装置２（図５）へ伝送される。受信装置２は、TMCC信号の情報を絶えず監視することにより、送信装置１において様々な伝送制御が行われたとしても、それに追従して受信方式等を切り替えることができる。
【００７９】
総括すると、送信装置１は、少なくともフレーム生成部１０、LDPC符号化部１１−１，１１−２、BCH符号化部１１−３，１１−４、エネルギー拡散部１２，１３、スイッチ１４、マッピング部１５及び時分割多重／直交変調部１６を備え、少なくともデータ、外符号パリティ及び内符号パリティにより構成されるスロットを複数まとめたフレーム構成を持つ多重化データを、伝送制御信号に書き込まれた伝送制御情報に基づいて伝送する。この場合、スロット長を４４８８０ビットとすることにより、MPEG(Moving Picture Expert Group)−２TS(Transport Stream)から除去した１８７バイトの情報を変調方式にかかわらず過不足なく伝送することが可能となる。
【００８０】
尚、伝送しようとするデータの単位が１８７バイトでない場合、例えば１８８バイト、１８９バイト、１９０バイト及び１９２バイトの場合、このときのスロット長をそれぞれ、６２０４０、６４２６０、６４９８０及び６５２８０とすることで、変調方式にかかわらず過不足無く伝送可能である。また、符号長をバイト単位とする場合にもそれぞれ、６２０４０、６０４８０、６３８４０及び６５２８０とすることで、変調方式にかかわらず過不足無く伝送可能である。
【００８１】
図５は、ディジタルデータ伝送システムの受信装置２の構成例を示すブロック図である。
【００８２】
この受信装置２は、チャンネル選択部２０、直交検波部２１、伝送制御信号復号部２２、復号器２３、エネルギー逆拡散部２４及び外符号復号部２５を備えている。
【００８３】
チャンネル選択部２０は、送信装置１からの変調信号を受信し、所定の周波数帯のチャンネルを選択し、そのチャンネルの信号を直交検波部２１で扱う所定の周波数の信号に変換にする。例えば、変調信号が衛星放送波であれば、１２GHz帯の放送波（変調信号）をBS(Broadcasting Satellite)アンテナで受信し、既知の周波数変換器（図示せず）を用いて１GHz帯のBS−IF(Intermediate Frequency)信号に変換する。
【００８４】
直交検波部２１は、チャンネル選択部２０により選択されたチャンネルの所定の周波数の信号（例えばBS−IF信号）を入力し、同期ベースバンド信号に変換する。
【００８５】
伝送制御信号復号部２２は、直交検波部２１により変換された同期ベースバンド信号を入力し、まずTMCC信号の同期バイトを検出し、それを基準として、周期的に多重されているBPSK変調波である位相基準バースト信号の位置も検出する。また、TMCC信号により伝送される変調方式・誤り訂正の情報についての検出もここで行う。伝送制御信号復号部２２により復号された情報は、復号器２３、エネルギー逆拡散部２４及び外符号復号部２５に入力される。
【００８６】
復号器２３は、LDPC復号器として構成され、直交検波部２１から同期ベースバンド信号が入力されると共に、伝送制御信号復号部２２により検出された変調方式・誤り訂正の情報が入力され、32APSK変調部分については32APSK復号を行い、16APSK，8PSK，QPSK又はBPSK変調部分についても、それに合わせた復号を行う。
【００８７】
エネルギー逆拡散部２４は、送信装置１のエネルギー拡散部１２，１３において擬似ランダム符号がMOD２により加算された処理を元に戻すため、再度同じ擬似ランダム符号をMOD２により加算し、エネルギー逆拡散処理を行う。
【００８８】
外符号復号部２５は、送信装置１の外符号符号化部１１−３,１１−４で、例えばBCH符号化した信号に対し、復号を行う。
【００８９】
以上のように、送信装置１は、長い符号長を持つLDPCのような誤り訂正符号にも対応することができ、且つ、変調方式と符号化率とを自由に組み合わせることができる。従って、MPEG−２TS及びその他のディジタルデータストリームを効率良く伝送することが可能となる。
【００９０】
次に、図３のLDPC符号化部１１−１，１１−２の処理過程について説明する。
【００９１】
LDPC符号化部１１−１，１１−２は、符号長Nが、例えば、４４８８０ビットで、符号化率が、例えば、７３／１２０（以下、名目３／５とも記載する），２７／４０（以下、名目２／３とも記載する），８９／１２０（以下、名目３／４とも記載する），９７／１２０（以下、名目４／５とも記載する），１０１／１２０（以下、名目５／６とも記載する），７／８、又は１０９／１２０（以下、名目９／１０とも記載する）のLDPC符号による誤り訂正符号化（LDPC符号化）を行う。
【００９２】
LDPC符号化部１１−１，１１−２は、LDPC符号の検査行列Hに従って、LDPC符号化を行う。
【００９３】
検査行列Hは、LDGM(Low-Density Generation Matrix )構造になっており、LDPC符号の符号化率に応じた情報長に対応する部分行列（左側部分行列）HAと、パリティ長に対応する部分行列（右側部分行列）HTとによって、H＝［HA｜HT］（部分行列HAの要素を左側の要素とし、部分行列HTの要素を右側の要素とする行列）で表すことができる。
【００９４】
図６は、パリティ長に対応する部分行列HAを示している。
【００９５】
部分行列HTは、図６に示す下三角構造を持つ、１の要素が、いわば階段状に並ぶ行列である。部分行列HTの行重みは、１行目については１で、残りの全ての行については２になっている。また、列重みは、最後の１列については１で、残りの全ての列で２になっている。
【００９６】
図７は、符号化率が８９／１２０のLDPC符号の検査行列Hの基本構造を示している。
【００９７】
いま、符号長Nが４４８８０であるため、情報長N-Pは３３２８６（＝４４８８０×８９／１２０）となり、パリティ長Pは、１１５９４（＝４４８８００−４４８８０×８９／１２０）となる。
【００９８】
検査行列Hの、情報長N-Pに対応する部分行列HAは、P×(N-P)の行列となり、パリティ長Pに対応する部分行列HTは、P×Pの行列となる。
【００９９】
図８は、符号化率が、７３／１２０（名目３／５），２７／４０（名目２／３），８９／１２０（名目３／４），９７／１２０（名目４／５），１０１／１２０（名目５／６），７／８、及び１０９／１２０（名目９／１０）のLDPC符号それぞれの情報長N-Pとパリティ長Pとを示している。
【０１００】
なお、符号長Nは、上述したように、すべての符号化率について、４４８８０で、一定である。
【０１０１】
図９は、図３のLDPC符号化部１１−１の構成例を示している。
【０１０２】
なお、図３のLDPC符号化部１１−２も、LDPC符号化部１１−１と同様に構成される。
【０１０３】
LDPC符号化部１１−１は、中央演算処理装置(CPU(Central Processing Unit))等で構成可能な演算・制御部１１aと、メモリ又はレジスタで構成可能な記憶部１１bとを備える。
【０１０４】
記憶部１１bには、上述の複数の符号化率それぞれに対応する複数の検査行列初期値テーブル、演算・制御部１１aを各種の手段として機能させるための制御プログラム、及び処理に必要なデータ等が格納されている。
【０１０５】
演算・制御部１１aは、制御プログラムを実行することにより、符号化率判定部１０１、初期値テーブル読み出し部１０２、検査行列生成部１０３、情報ビット列読み出し部１０４、符号化パリティ演算部１０５、及び制御部１０６として機能する。
【０１０６】
符号化率判定部１０１は、伝送制御情報に含まれる符号化率情報を読み出して多重伝送フレーム毎に判定し、符号化する符号化率を決定する。
【０１０７】
初期値テーブル読み出し部１０２は、符号化率判定部１０１が決定した符号化率に対応する検査行列初期値テーブルを記憶部１１bから読み出す。
【０１０８】
検査行列生成部１０３は、初期値テーブル読み出し部１０２が読み出した検査行列初期値テーブルに基づいて、符号化率に応じた情報長N-Pに対応する部分行列HAの１の要素を列方向に３７４列毎の周期で配置して検査行列Hを生成し、記憶部１１bに格納する。
【０１０９】
情報ビット列読み出し部１０４は、入力されてくるデータから、情報長N-Pの情報ビット列を読み出す。
【０１１０】
符号化パリティ演算部１０５は、検査行列生成部１０３が生成した検査行列Hを記憶部１１bから読み出し、情報ビット列読み出し部１０４が読み出した情報ビット列に対するパリティビット列を所定の式に基づいて算出し、符号語（LDPC符号）を生成する。
【０１１１】
制御部１０６は、LDPC符号化部１１−１を構成する各ブロックを制御する。
【０１１２】
図１０は、図９のLDPC符号化部１１−１の処理手順を示すフローチャートである。
【０１１３】
ステップＳ１０１で、符号化率判定部１０１により所定の符号化率が決定（設定）される。例えば、符号化率が８９／１２０（名目３／４）の検査行列Hを用いてLDPC符号化を行うことが決定される。
【０１１４】
ここで、ステップＳ１０１での符号化率の決定は、例えば、送信装置１のオペレータからの指令等に従って行われる。
【０１１５】
ステップＳ１０２で、ステップＳ１０１にて決定された符号化率に対応する、予め定められた検査行列初期値テーブルを初期値テーブル読み出し部１０２により記憶部１１bから読み出す。
【０１１６】
ステップＳ１０３で、検査行列生成部１０３は、初期値テーブル読み出し部１０２が記憶部１１bから読み出した検査行列初期値テーブルを用いて、符号化率判定部１０１により決定された所定の符号化率のLDPC符号の検査行列Hを求め（生成し）、記憶部１１bに供給して格納する。
【０１１７】
ステップＳ１０４で、情報ビット列読み出し部１０４により、入力されてくデータから、符号化率判定部１０１により決定された所定の符号化率に対応する情報長N-Pの情報ビット列を読み出すとともに、符号化パリティ演算部１０５により、ステップＳ１０３にて求めた検査行列Hを記憶部１１bにおける所定のメモリ領域から読み出す。
【０１１８】
ステップＳ１０５で、符号化パリティ演算部１０５により、式（３）を満たす符号語cのパリティビット列を順次演算する。
【０１１９】
【数３】
0004856608.tif 000004
・・・（３）
【０１２０】
ここで、式（３）において、cは、符号語（LDPC符号）としての行ベクトルを表し、cTは、行ベクトルcの転置を表す。
【０１２１】
情報ビット列としての行ベクトルを、Iと表すとともに、パリティビット列としての行ベクトルを、Zと表すこととすると、行ベクトルcは、情報ビット列Iとパリティビット列Zとによって、c ＝［I｜Z］（行ベクトルIの要素を左側の要素とし、行ベクトルZの要素を右側の要素とする行ベクトル）で表すことができる。
【０１２２】
検査行列Hの、パリティ長に対応する部分行列HTは、図６に示したように、階段状の行列であるため、式（３）の、検査行列Hと行ベクトルcの転置cTとの積である列ベクトルの各行を０とする（つまり、式（３）を満たす）パリティビット列としての行ベクトルZの要素は、逐次的に算出することができる。
【０１２３】
符号化パリティ演算部１０５は、情報ビット列Iに対して、パリティビット列Zを求めると、その情報ビット列Iとパリティビット列Zとによって表される符号語c ＝［I｜Z］を、情報ビット列IのLDPC符号化結果として出力する。なお、符号語cは、１スロット分の44880ビットである。
【０１２４】
その後、ステップＳ１０６において、制御部１０６は、LDPC符号化を終了するかどうかを判定する。ステップＳ１０６において、LDPC符号化を終了しないと判定された場合、すなわち、例えば、LDPC符号化すべきデータが、まだある場合、処理は、ステップＳ１０１に戻り、以下、ステップＳ１０１ないしＳ１０６の処理が繰り返される。
【０１２５】
また、ステップＳ１０６において、LDPC符号化を終了すると判定された場合、すなわち、例えば、LDPC符号化すべきデータがない場合、LDPC符号化部１１−１は、処理を終了する。
【０１２６】
LDPC符号化部１１−１は、上述したように、符号長Nが、４４８８０で、符号化率が、７３／１２０（名目３／５），２７／４０（名目２／３），８９／１２０（名目３／４），９７／１２０（名目４／５），１０１／１２０（名目５／６），７／８、又は１０９／１２０（名目９／１０）のLDPC符号化を行う。
【０１２７】
そして、各符号化率に対応する検査行列初期値テーブルが用意されており、所定の符号化率のLDPC符号化は、図１０で説明したように、その所定の符号化率に対応する検査行列初期値テーブルから生成される検査行列Hを用いて行われる。
【０１２８】
検査行列初期値テーブルは、検査行列Hの、LDPC符号（検査行列Hによって定義されるLDPC符号）の符号化率に応じた情報長N-Pに対応する部分行列HA（図７）の１の要素の位置を３７４列毎に表すテーブルであり、各符号化率の最適な検査行列H（各符号化率のLDPC符号を定義する最適な検査行列H）ごとに、あらかじめ作成される。
【０１２９】
したがって、各符号化率に対応する検査行列初期値テーブルによれば、その符号化率のLDPC符号化を行うための最適な検査行列Hを生成することができる。
【０１３０】
図１１ないし図２４は、各符号化率の最適な検査行列Hに対する検査行列初期値テーブルを示している。
【０１３１】
すなわち、図１１及び図１２は、符号化率が、７３／１２０（名目３／５）の検査行列初期値テーブルを、図１３及び図１４は、符号化率が、２７／４０（名目２／３）の検査行列初期値テーブルを、図１５及び図１６は、符号化率が、８９／１２０（名目３／４）の検査行列初期値テーブルを、図１７及び図１８は、符号化率が、９７／１２０（名目４／５）の検査行列初期値テーブルを、図１９及び図２０は、符号化率が、１０１／１２０（名目５／６）の検査行列初期値テーブルを、図２１及び図２２は、符号化率が、７／８の検査行列初期値テーブルを、図２３及び図２４は、符号化率が、１０９／１２０（名目９／１０）の検査行列初期値テーブルを、それぞれ示している。
【０１３２】
なお、図１１ないし図２４の検査行列初期値テーブルは、検査行列Hを表しているということができるが、このような検査行列Hの表し方は、DVB-S2の規格に倣ったものである。
【０１３３】
検査行列生成部１０３（図９）は、検査行列初期値テーブルを用いて、以下のように、検査行列Hを求める。
【０１３４】
すなわち、図２５は、検査行列初期値テーブルから検査行列Hを求める方法を示している。
【０１３５】
なお、図２５の検査行列初期値テーブルは、図１５及び図１６に示した、符号化率が、８９／１２０（名目３／４）の検査行列初期値テーブルの一部である。
【０１３６】
検査行列初期値テーブルは、上述したように、LDPC符号の符号化率に応じた情報長N-Pに対応する部分行列HA（図７）の１の要素の位置を、374列ごとに表すテーブルであり、そのi行目には、検査行列Hの1+374×(i-1)列目の１の要素の行番号（検査行列の１行目の行番号を０とする行番号）が、その1+374×(i-1)列目の列が持つ列重みの数だけ並んでいる。
【０１３７】
ここで、検査行列Hの、パリティ長Pに対応する部分行列HT（図７）は、図６に示したように決まっているので、検査行列初期値テーブルによれば、検査行列Hの、情報長N-Pに対応する部分行列HA（図７）が求められる。
【０１３８】
検査行列初期値テーブルの行数k+1は、符号化率によって異なり、符号化率が８９／１２０の場合、k＝８８である。
【０１３９】
なお、情報長N-Pと、検査行列初期値テーブルの行数k+1との間には、式（４）の関係が成り立つ。
【０１４０】
【数４】
0004856608.tif 000005
・・・（４）
【０１４１】
符号化率が８９／１２０（名目３／４）の検査行列初期値テーブルでは、図１５及び図１６に示したように、１行目から１５行目までに、１０個の数値が並び、１６行目から８９行目までに、３個の数値が並んでいる。
【０１４２】
したがって、符号化率が８９／１２０（名目３／４）の検査行列Hの列重みは、１列目から、５６１０(=1+374×(16-1)-1）列目までは、１０であり、５６１１(=1+374×(16-1)）列目から、３３２８６(=374×(k+1)=N-P)列目までは、３である。
【０１４３】
図２５（図１５及び図１６）の検査行列初期値テーブルの１行目は、1372, 1492, 2242, 2362, 3502, 3622, 6472, 7912, 8362, 10252となっており、これは、検査行列Hの１列目において、行番号が、1372, 1492, 2242, 2362, 3502, 3622, 6472, 7912, 8362, 10252の行の要素が１であること（かつ、他の要素が０であること）を示している。
【０１４４】
また、図２５の検査行列初期値テーブルの２行目は、3775, 4732, 6682, 7942, 9712, 10162, 10501, 10343, 10852, 11184となっており、これは、検査行列Hの３７５（＝１＋３７４×（２−１））列目において、行番号が、3775, 4732, 6682, 7942, 9712, 10162, 10501, 10343, 10852, 11184の行の要素が１であることを示している。
【０１４５】
以上のように、検査行列初期値テーブルは、検査行列Hの部分行列HAの１の要素の位置を３７４列毎に表す。
【０１４６】
検査行列Hの1+374×(i-1)列目以外の列、つまり、2+374×(i-1)列目から、374×i列目までの各列は、検査行列初期値テーブルによって定まる1+374×(i-1)列目の１の要素を、パリティ長Pに従って下方向（列の下方向）に、周期的にサイクリックシフトして配置したものになっている。
【０１４７】
すなわち、例えば、2+374×(i-1)列目は、1+374×(i-1)列目を、P/374だけ下方向にサイクリックシフトしたものとなっており、次の3+374×(i-1)列目は、1+374×(i-1)列目を、2×P/374だけ下方向にサイクリックシフトしたもの（2+374×(i-1)列目を、P/374だけ下方向にサイクリックシフトしたもの）となっている。
【０１４８】
いま、検査行列初期値テーブルのi行目（上からi番目）のj列目（左からj番目）の数値を、hi,jと表すとともに、検査行列Hのq列目の、j個目の１の要素の行番号を、Hq-jと表すこととすると、検査行列Hの1+374×(i-1)列目以外の列であるq列目の、１の要素の行番号Hq-jは、式（５）で求めることができる。
【０１４９】
【数５】
0004856608.tif 000006
・・・（５）
【０１５０】
ここで、mod（x，y）はxをyで割った余りを意味する。式（５）のQは、パリティ長Pに対応した値で、式（６）に従って求められる。
【０１５１】
【数６】
0004856608.tif 000007
・・・（６）
【０１５２】
符号化率が８９／１２０の場合、パリティ長Pは、図８に示したように、11594であるから、Q＝３１(=11594/374)となる。
【０１５３】
ここで、図２６に、符号化率が、７３／１２０，２７／４０、８９／１２０、９７／１２０、１０１／１２０、７／８、及び１０９／１２０の場合それぞれのk及びQの一覧を示す。
【０１５４】
検査行列生成部１０３（図９）は、検査行列初期値テーブルによって、検査行列Hの1+374×(i-1)列目の１の要素の行番号を特定する。
【０１５５】
さらに、検査行列生成部１０３（図９）は、検査行列Hの1+374×(i-1)列目以外の列であるq列目の、１の要素の行番号Hq-jを、式（５）に従って求め、以上により得られた行番号の要素を１とする検査行列Hを生成する。
【０１５６】
次に、図２７は、図３の送信装置１の送信信号生成過程を説明するフローチャートである。
【０１５７】
ステップＳ２０１で、フレーム生成部１０により、所定の変調方式及び符号化率が決定される。例えば、決定した変調方式及び符号化率は、伝送モードの情報を含む伝送制御情報としてTMCC信号により受信装置２（図５）に伝送される。
【０１５８】
ステップＳ２０２で、情報ビット列Ii （i＝１〜n）を用意する。ここで、情報ビット列Iiは０と１から構成されるビット列であり、符号化率によって情報ビット列Iiの長さnは異なる。想定される情報ビット列としては、MPEG−TSストリーム等が挙げられる。また、伝送性能をより高めるために情報ビット列Iiは事前に別の誤り訂正符号（BCH符号化又はリードソロモン符号化などのブロック符号化に限らず、畳み込み符号又は別のLDPC符号でもよい）によって符号化された信号を用いることも可能である（ステップＳ２０３）。一例として、情報ビットIiにガロア式GF（２16）の１２ビット訂正可能なBCH符号を適用した場合の、情報ビットIiの構成図及びBCH生成多項式一覧を図２８に示す。この場合、正味の情報ビット列はIBCHi（i＝１〜n−１９２）及びBCH符号のパリティ列はPBCHi（i＝１〜１９２）である。また、図２８に示す生成多項式はGF（２16）上で解を持つため、図２８の生成多項式を用いて情報ビット列Ii全体に対しBCH符号の訂正能力分誤り訂正を行うことが可能となる。また、LDPC符号化部１１−１，１１−２で利用可能な全ての符号化率に対し、図２８に示す生成多項式は利用可能である。
【０１５９】
ステップＳ２０４で、前述したように、LDPC符号化部１１−１,１１−２によって情報ビットIi（i＝１〜n）に対しLDPC符号化を行い、１スロットの符号語Ci（i＝１〜４４８８０）を生成する。
【０１６０】
ステップＳ２０５で、スイッチ１４により、横方向が４４８８０／M、縦方向がMに相当する２次元構造をもつ一時メモリを用意し、符号語Ci（i＝１〜４４８８０）を先頭から一時メモリの横方向に４４８８０／Mビット記録する操作を縦方向にM回行う。ここでMは変調次数（１シンボルのビット数）に相当し、位相変調の場合、QPSKではM＝２、８PSKではM＝３、１６APSKではM＝４、３２APSKではM＝５である。記録終了後、記録した符号語Ci（i＝１〜４４８８０）を一時メモリの横方向の先頭から縦方向に向かってMビット読み出す操作を横方向に４４８８０／M回繰り返す。以上の操作をビットインターリーブ処理という。M値変調におけるビットインターリーブ処理の構成図を図２９に示す。
【０１６１】
ステップＳ２０６で、マッピング部１５により、一時メモリから読み出したビットインターリーブ処理が施された符号語Ci（i＝１〜４４８８０）をMビット毎に変調方式で定める各信号点（位相点）へ配置し（マッピングし）、変調シンボルを生成する。また、Mは変調次数に相当するため、上記操作により符号語Ci（i＝１〜４４８８０）をすべて過不足なく各位相点へ配置することが可能となる。
【０１６２】
ステップＳ２０７で、時分割多重／直行変調部１６により、ステップＳ２０６における変調シンボルを用いて直交変調を行い、送信信号（即ち、変調信号）を生成する。
【０１６３】
以上のステップＳ２０１〜ステップＳ２０７の処理を繰り返す事で、送信装置１から４４８８０ビット毎に変調方式及び符号化率を変更し、４４８８０ビット毎にLDPC符号化した送信信号の生成が可能となる。
【０１６４】
LDPC符号化部１１−１，１１−２は、４４８８０ビットを基本単位としており、また、４４８８０は１，２，３，４，５，６，８，１０，１１，１２，１５，１６等の値で割り切れる値である。よって送信装置１は変調次数Mとして非常に多様な値を用いることが可能であり、BPSK、QPSK、８PSK、１６APSK（１６QAM）、３２APSK（３２QAM）、６４QAM、２５６QAM、１０２４QAM等非常に多様な多値変調方式に対応可能である。よって、送信装置１により非常に柔軟な変調方式及び符号化率を組み合わせた信号送信が可能となる。尚、ステップ２０４のLDPC符号化に用いた検査行列Hのための検査行列初期値テーブルは、補助情報として送信装置１から受信装置２に送信することができ、或いはまた、受信装置２により予め保持させてもよい。或いは、送信装置１から受信装置２に検査行列H自体を送信することができ、又は、検査行列H自体を受信装置２により予め保持させてもよい。
【０１６５】
図３０は、受信装置２（図５）における復号器２３の処理過程を示すフローチャートである。
【０１６６】
復号器２３は、前述したLDPC符号化部１１−１,１１−２（図９）と同様に、制御部及び記憶部で構成でき、制御部により各処理を実行するための制御プログラムは記憶部に格納される。
【０１６７】
ステップＳ３０１で、復号器２３は、復調器としての直交検波部２１（図９）を経て復号した伝送制御情報から符号化率情報を読み出し、検査行列Hを決定する。
【０１６８】
ステップＳ３０２で、復号器２３は、直交検波部２１からエネルギー逆拡散部２４を介して供給される信号から、１スロット分のLDPC符号ynの対数尤度比λn（n＝１〜４４８８０）を算出する。対数尤度比λnは、値が１の送信ビットxnが送信されたときに、受信側で受信される受信ビットが、ynである確率P(yn|xn=0)と、値が０の送信ビットxnが送信されたときに、受信側で受信される受信ビットが、ynである確率P(yn|xn=1)との比の対数値であり、受信ビットynの０らしさを表す。
【０１６９】
対数尤度比λnは、式（７）で表される。
【０１７０】
【数７】
0004856608.tif 000008
・・・（７）
【０１７１】
ステップＳ３０３で、復号器２３は、ステップＳ３０２において求めた尤度比λnを用いてsum−product復号法等によるLDPC符号の、いわゆる反復復号を行う。この際、復号器２３は、送信装置１のLDPC符号化部１１−１，１１−２において決定した検査行列Hを用いて復号を行う。復号器２３で、LDPC符号化部１１−１，１１−２の場合と同様に、検査行列初期値テーブルを用いて検査行列を算出しても良い。反復復号の回数は任意の値とする。また、LDPC復号は、sum−product復号法以外の、例えば、min−sum復号法等によって行うこともできる。
【０１７２】
ステップＳ３０４で、ステップＳ３０３において復号した復号語C'i（i＝１〜４４８８０）を出力する。ステップＳ３０５で、復号器２３によるLDPC復号が終了するまで、順次復調された信号についてステップＳ３０１〜Ｓ３０４を繰り返し、全ての復号が終了すれば（図示Yes）、一連のLDPC復号処理が終了する。
【０１７３】
図３１は、受信装置２（図５）の処理過程を示すフローチャートである。
【０１７４】
ステップＳ４０１で、送信装置１から送信された変調信号を受信し、直交検波部２１により復調する。
【０１７５】
ステップＳ４０２で、予め、受信する変調信号の変調方式及び符号化率を決定しておき、チャンネル選択部２０及び直交検波部２１を経て復調したTMCC信号から、伝送制御信号復号部２２で復号することにより伝送制御情報を読み出す。これにより、伝送制御情報の伝送モード情報から、変調方式及び符号化率の情報を読み出すことができる。
【０１７６】
ステップＳ４０３で、チャンネル選択部２０及び直交検波部２１により、受信装置２が受信した信号を復調し、受信シンボルyi（i＝１〜４４８８０／M）を生成する。
【０１７７】
ステップＳ４０４で、復号器２３により、受信シンボルyi（i＝１〜４４８８０／M）から尤度比λn（n＝１〜４４８８０）を計算する。尤度比λn（n＝１〜４４８８０）の計算は復号器２３のステップＳ３０２の処理と同じである。
【０１７８】
ステップＳ４０５で、復号器２３又は他のデインターリーブ処理部（図示せず）により、横方向がM、縦方向が４４８８０／Mに相当する２次元構造をもつ一時メモリを用意し、尤度比λn（n＝１〜４４８８０）を先頭から一時メモリの横方向にM記録する操作を縦方向に４４８８０／M回繰り返す。一例としてM値変調におけるデインターリーブ処理の構成図を図３２に示す。記録終了後、一時メモリの横方向の先頭から縦方向に向かって尤度比λn（n＝１〜４４８８０）を４４８８０／Mビット毎に読み出す操作を横方向にM回読み出す。以上の操作をデインターリーブ処理という。
【０１７９】
ステップＳ４０６で、復号器２３により、ステップＳ４０５において読み出したデインターリーブ処理後の尤度比λn（n＝１〜４４８８０）を用いて、LDPC復号を行い、復号語C'i（i＝１〜４４８８０）を出力し、情報ビット列I'i（i＝１〜４４８８０−P）を出力する。
【０１８０】
ステップＳ４０７で、送信装置１においてLDPC符号に連接して他の誤り訂正符号で情報ビット列を符号化していた場合（例えば、BCH符号）は、情報ビット列I'i（i＝１〜４４８８０−P）を用いて、外符号復号部２５により、用いた誤り訂正符号に対応した復号処理を行い、復号結果を出力する。BCH符号を用いた場合は、LDPC復号した情報ビット列I'i（i＝１〜４４８８０−P）のビット列からシンドローム計算を実施し、バーレンカンプ・マッシィ法等により、正味の情報ビット列を復号することが可能である。
【０１８１】
以上、ステップＳ４０１〜ステップＳ４０７を繰り返すことにより、送信装置１で生成した送信信号（変調信号）を４４８８０ビット単位で受信することが可能となる。
【０１８２】
このように、受信装置２は、送信装置１において生成した多様な符号化率及び変調方式の組み合わせに対応した送信信号を受信することが可能となる。
【０１８３】
ところで、図１１ないし図２４に示した検査行列初期値テーブルは、符号化率が、７３／１２０（名目３／５），２７／４０（名目２／３），８９／１２０（名目３／４），９７／１２０（名目４／５），１０１／１２０（名目５／６），７／８、及び１０９／１２０（名目９／１０）それぞれの最適な検査行列Hごとに作成される。
【０１８４】
各符号化率の最適な検査行列Hとは、各符号化率の検査行列Hから得られるLDPC符号の変調信号を、低いEb/No（１ビットあたりの信号電力対雑音電力比）で送信したときに、BER(Bit Error Rate)を最小にする、所定の条件を満たす検査行列である。
【０１８５】
所定の符号化率の最適な検査行列Hは、所定の条件を満たす様々な検査行列から得られるLDPC符号の変調信号を、低いEb/Noで送信したときのBERを計測するシミュレーションを行うことにより求められる。
【０１８６】
最適な検査行列Hが満たすべき所定の条件としては、例えば、部分行列HA（図７）の列重みが３になっている列が存在すること、列重みが３になっている列の列数に対する、列重みが他の値になっている列の列数の割合が所定値であること、行重みが、行によらず一定であること、サイクル４と呼ばれる、１の要素が２×２に並ぶ状態が存在しないこと、等がある。
【０１８７】
ここで、図３３に、サイクル４と呼ばれる状態と、サイクル６と呼ばれる状態とを示す。
【０１８８】
部分行列HAにおいて、サイクル４等のように、１の要素が密集していると、LDPC符号の復号性能が劣化することが知られており、このため、最適な検査行列Hが満たすべき所定の条件として、サイクル４が存在しないことが要求される。
【０１８９】
なお、最適な検査行列Hが満たすべき所定の条件は、LDPC符号の復号性能の向上や、LDPC符号の復号処理の容易化（単純化）等の観点から適宜決定される。
【０１９０】
そして、その所定の条件を満たし、BERを最小にする、符号化率が、７３／１２０（名目３／５），２７／４０（名目２／３），８９／１２０（名目３／４），９７／１２０（名目４／５），１０１／１２０（名目５／６），７／８、及び１０９／１２０（名目９／１０）それぞれの検査行列H（最適な検査行列H）に対して作成された検査行列初期値テーブルが、図１１ないし図２４に示した検査行列初期値テーブルである。
【０１９１】
次に、送信装置１（図３）では、マッピング部１５が、LDPC符号（符号語Ci（i＝１〜４４８８０））等のデータを、変調方式で定める各信号点にマッピングする。
【０１９２】
すなわち、マッピング部１５は、そこに供給されるデータを、搬送波と同相のI成分を表すI軸と、搬送波と直交するQ成分を表すQ軸とで規定されるIQ平面（IQコンスタ
レーション）上の、変調方式で定める信号点が表すシンボル（シンボル値）にシンボル化する。
【０１９３】
図３４は、変調方式が16APSKの、１６個の信号点の配置を示している。
【０１９４】
16APSKの１６個の信号点は、半径がR1の内周円上と、半径がR1より大のR2の外周円上とに配置されている。
【０１９５】
すなわち、半径がR1の内周円上には、等角度で、４個の信号点が配置されており、半径がR2の外周円上には、等角度で、１２個の信号点が配置されている。
【０１９６】
さらに、16APSKの１６個の信号点については、外周円の半径R2と、内周円の半径R1との比である半径比（外周円の半径R2が、内周円の半径R1の何倍であるかを表す値）γ=R2/R1が、信号点にマッピングする対象のLDPC符号の符号化率ごとに最適な値に定められている。
【０１９７】
すなわち、符号化率が、名目３／５，名目２／３，名目３／４，名目４／５，名目５／６，７／８、及び名目９／１０のLDPC符号については、最適な半径比γ=R2/R1が、2.87，2.92，2.97，2.73，2.67，2.76，及び2.69に、それぞれなっている。
【０１９８】
実際の変調器では、これらの最適な半径比γ=R2/R1に基づき、信号点座標へマッピングされ変調される。したがって、例えば１０ビットの精度のＤ／Ａコンバータを持った変調器では、信号点は２進１０ビット値に丸められた値となる。このため、厳密な数値としての半径比γ=R2/R1も概１０ビット精度の値となり、また符号点毎に異なる値となる場合も生じる。これは実装上の制約であり本質の差ではない。
【０１９９】
図３５は、変調方式が32APSKの、３２個の信号点の配置を示している。
【０２００】
32APSKの３２個の信号点は、半径がR1の第１の内周円上、半径がR1より大のR2の第２の内周円上、及び、半径がR2より大のR3の外周円上に配置されている。
【０２０１】
すなわち、半径がR1の第１の内周円上には、等角度で、４個の信号点が配置されており、半径がR2の第２の内周円上には、等角度で、１２個の信号点が配置されている。そして、半径がR3の外周円上には、等角度で、１６個の信号点が配置されている。
【０２０２】
さらに、32APSKの３２個の信号点については、第２の内周円の半径R2と、第１の内周円の半径R1との比である第１の半径比（第２の内周円の半径R2が、第１の内周円の半径R1の何倍であるかを表す値）γ1=R2/R1が、信号点にマッピングする対象のLDPC符号の符号化率ごとに最適な値に定められているとともに、外周円の半径R3と、第１の内周円の半径R1との比である第２の半径比（外周円の半径R3が、第１の内周円の半径R1の何倍であるかを表す値）γ2=R3/R1が、信号点にマッピングする対象のLDPC符号の符号化率ごとに最適な値に定められている。
【０２０３】
すなわち、符号化率が、名目２／３，名目３／４，名目４／５，名目５／６，７／８、及び名目９／１０のLDPC符号については、最適な第１の半径比γ1=R2/R1が、16APSKの半径比γと同一の2.92，2.97，2.73，2.67，2.76，及び2.69に、それぞれなっているとともに、最適な第２の半径比γ2=R3/R1が、5.68，5.57，5.05，4.80，4.82、及び4.66に、それぞれなっている。
【０２０４】
実際の変調器では、これらの最適な半径比γ1=R2/R1およびγ2=R3/R1に基づき、信号点座標へマッピングされ変調される。したがって、例えば１０ビットの精度のＤ／Ａコンバータを持った変調器では、信号点は２進１０ビット値に丸められた値となる。このため、厳密な数値としての半径比γ1=R2/R1およびγ2=R3/R1も概１０ビット精度の値となり、また符号点毎に異なる値となる場合も生じる。これは実装上の制約であり本質の差ではない。
【０２０５】
ここで、各符号化率のLDPC符号に対して、最適な第１の半径比γ1（半径比γ）、及び最適な第２の半径比γ2は、例えば、上述した検査行列初期値テーブルから求められる、各符号化率に対して最適な検査行列Hから得られるLDPC符号の16APSK及び32APSKそれぞれの変調信号を送信したときのBERを計測するシミュレーション（以下、適宜、計測シミュレーションという）を行い、BERを最小にする第１の半径比γ1（半径比γ）、及び第２の半径比γ2を検出することで求められる。
【０２０６】
図３６は、計測シミュレーションに採用したEb/Noと、BERの計測に用いたフレーム数とを示している。
【０２０７】
すなわち、図３６上は、計測シミュレーションにおいて、符号化率が、名目３／５、名目２／３、名目３／４，名目４／５，名目５／６，７／８、及び名目９／１０のそれぞれについての、上述の最適な検査行列Hから得られるLDPC符号の16APSKの変調信号を送信したときのEb/Noと、BERの計測に用いたフレーム数とを示している。
【０２０８】
また、図３６下は、計測シミュレーションにおいて、符号化率が、名目２／３，名目３／４，名目４／５，名目５／６，７／８、及び名目９／１０のそれぞれについての、上述の最適な検査行列Hから得られるLDPC符号の32APSKの変調信号を送信したときのEb/Noと、BERの計測に用いたフレーム数とを示している。
【０２０９】
なお、計測シミュレーションにおいて、Eb/Noは、BERの最小値を的確に検出することができる程度の値（例えば、半径比γ（γ1，γ2）を変化させたときに、BERの最小値付近の形状として、略放物線の形状を観測することができるような値）に調整され、図３６は、そのような値のEb/Noを示している。
【０２１０】
図３７は、16APSKについての計測シミュレーションで得られた、符号化率が、名目３／５、名目２／３、名目３／４，名目４／５，名目５／６，７／８、及び名目９／１０のそれぞれについての、半径比γとBERとの関係を示している。
【０２１１】
また、図３８は、図３７のBERが最小となる部分を拡大した図である。
【０２１２】
図３７及び図３８によれば、符号化率が異なると、BERが最小となる半径比γが異なっており、したがって、16APSKについては、符号化率ごとに、最適な半径比γ、つまり、BERを最小にする半径比γが存在することが分かる。
【０２１３】
図３９は、32APSKについての計測シミュレーションで得られた、符号化率が、名目２／３，名目３／４，名目４／５，名目５／６，７／８、及び名目９／１０のそれぞれについての、第２の半径比γ2とBERとの関係を示している。
【０２１４】
また、図４０は、図３９のBERが最小となる部分を拡大した図である。
【０２１５】
なお、32APSKについての計測シミュレーションでは、符号化率が、名目２／３，名目３／４，名目４／５，名目５／６，７／８、及び名目９／１０のそれぞれについての、第１の半径比γ1として、16APSKについての計測シミュレーションで得られた最適な半径比γを用いた。
【０２１６】
図３９及び図４０によれば、符号化率が異なると、BERが最小となる第２の半径比γ2が異なっており、したがって、32APSKについても、16APSKと同様に、符号化率ごとに、最適な第２の半径比γ2、つまり、BERを最小にする第２の半径比γ2が存在することが分かる。
【０２１７】
図４１は、Eb/Noを、図３６に示した値とそれより0.03dB、又は0.05dBだけ大きい値にして行った16APSKについての計測シミュレーションで得られた、符号化率が、名目２／３、名目３／４，名目４／５，名目５／６，７／８、及び名目９／１０のそれぞれについての、半径比γとBERとの関係を示している。
【０２１８】
図４１によれば、最小のBERとなる半径比γは、符号化率によって異なるが、Eb/Noによらず、ほぼ一定であることが分かる。
【０２１９】
図４２は、16APSKについての計測シミュレーションで得られた、符号化率が、名目３／５、名目２／３、名目３／４，名目４／５，名目５／６，７／８、及び名目９／１０のそれぞれについての、BERが最小となる半径比γを示している。
【０２２０】
図３４で説明した最適な半径比γは、図４２の、BERが最小となる半径比γになっている。
【０２２１】
図４３は、32APSKについての計測シミュレーションで得られた、符号化率が、名目２／３，名目３／４，名目４／５，名目５／６，７／８、及び名目９／１０のそれぞれについての、BERが最小となる第１の半径比γ1及び第２の半径比γ2を示している。
【０２２２】
図３５で説明した最適な第１の半径比γ1及び第２の半径比γ2は、それぞれ、図４３の、BERが最小となる第１の半径比γ1及び第２の半径比γ2になっている。
【０２２３】
以上のように、送信装置１（図３）は、LDPC符号化部１１−１において、符号化率ごとに、最適な検査行列Hを用いて、LDPC符号化を行う。したがって、誤り訂正の性能を向上させることができる。
【０２２４】
さらに、送信装置１は、マッピング部１５において、符号化率ごとに、最適な検査行列Hを用いて得られるLDPC符号を、符号化率ごとに、最適な半径比（γ，γ1，γ2）の信号点（ひいては、最適な信号点）にマッピングする。したがって、伝送特性の劣化を防止することができる。
【０２２５】
また、受信装置２（図５）は、以上のような送信装置１からのデータを、送信装置１における場合と同様の、符号化率ごとに最適な信号点の配置に基づいて受信し、符号化率ごとに最適な検査行列Hに従って復号する。したがって、誤り訂正の性能を向上させることができる。
【０２２６】
実際の受信装置では、これらの最適な半径比γ=R2/R1またはγ1=R2/R1、γ2=R3/R1に基づき、尤度判定され復調される。したがって、例えば１０ビットの精度のＡ／Ｄコンバータを持った復調器では、信号値は２進１０ビット値に丸められた値となる。このため、厳密な数値としての半径比γ=R2/R1またはγ1=R2/R1、γ2=R3/R1も概１０ビット精度の値となり、また符号点毎に異なる値となる場合も生じる。これは実装上の制約であり本質の差ではない。
【０２２７】
次に、上述した送信装置１及び受信装置２の一連の処理の少なくとも一部は、専用のハードウェアにより行うこともできるし、ソフトウェアにより行うこともできる。一連の処理をソフトウェアによって行う場合には、そのソフトウェアを構成するプログラムが、汎用のコンピュータ等にインストールされる。
【０２２８】
そこで、図４４は、上述した一連の処理を実行するプログラムがインストールされるコンピュータの一実施の形態の構成例を示している。
【０２２９】
プログラムは、コンピュータに内蔵されている記録媒体としてのハードディスク３０５やROM３０３に予め記録しておくことができる。
【０２３０】
あるいはまた、プログラムは、フレキシブルディスク、CD-ROM(Compact Disc Read Only Memory)，MO(Magneto Optical)ディスク，DVD(Digital Versatile Disc)、磁気ディスク、半導体メモリなどのリムーバブル記録媒体３１１に、一時的あるいは永続的に格納（記録）しておくことができる。このようなリムーバブル記録媒体３１１は、いわゆるパッケージソフトウエアとして提供することができる。
【０２３１】
なお、プログラムは、上述したようなリムーバブル記録媒体３１１からコンピュータにインストールする他、ダウンロードサイトから、ディジタル衛星放送用の人工衛星を介して、コンピュータに無線で転送したり、LAN(Local Area Network)、インターネットといったネットワークを介して、コンピュータに有線で転送し、コンピュータでは、そのようにして転送されてくるプログラムを、通信部３０８で受信し、内蔵するハードディスク３０５にインストールすることができる。
【０２３２】
コンピュータは、CPU(Central Processing Unit)３０２を内蔵している。CPU３０２には、バス３０１を介して、入出力インタフェース３１０が接続されており、CPU３０２は、入出力インタフェース３１０を介して、ユーザによって、キーボードや、マウス、マイク等で構成される入力部３０７が操作等されることにより指令が入力されると、それに従って、ROM(Read Only Memory)３０３に格納されているプログラムを実行する。あるいは、また、CPU３０２は、ハードディスク３０５に格納されているプログラム、衛星若しくはネットワークから転送され、通信部３０８で受信されてハードディスク３０５にインストールされたプログラム、またはドライブ３０９に装着されたリムーバブル記録媒体３１１から読み出されてハードディスク３０５にインストールされたプログラムを、RAM(Random Access Memory)３０４にロードして実行する。これにより、CPU３０２は、上述したフローチャートにしたがった処理、あるいは上述したブロック図の構成により行われる処理を行う。そして、CPU３０２は、その処理結果を、必要に応じて、例えば、入出力インタフェース３１０を介して、LCD(Liquid Crystal Display)やスピーカ等で構成される出力部３０６から出力、あるいは、通信部３０８から送信、さらには、ハードディスク３０５に記録等させる。
【０２３３】
ここで、本明細書において、コンピュータに各種の処理を行わせるためのプログラムを記述する処理ステップは、必ずしもフローチャートとして記載された順序に沿って時系列に処理する必要はなく、並列的あるいは個別に実行される処理（例えば、並列処理あるいはオブジェクトによる処理）も含むものである。
【０２３４】
また、プログラムは、１のコンピュータにより処理されるものであっても良いし、複数のコンピュータによって分散処理されるものであっても良い。さらに、プログラムは、遠方のコンピュータに転送されて実行されるものであっても良い。
【０２３５】
なお、LDPC符号と組み合わされる他の誤り訂正符号としては、BCH符号化以外に、リードソロモン符号などのブロック符号や、畳込み符号であってもよい。
【０２３６】
また、本実施の形態では、送信装置１において、検査行列初期値テーブルを記憶しておき、その検査行列初期値テーブルから、符号化率ごとに最適な検査行列Hを生成することとしたが、記憶容量に問題がなければ、符号化率ごとに最適な検査行列Hを、検査行列初期値テーブルに代えて記憶しておくことができる。この場合、検査行列初期値テーブルから、検査行列Hを生成する処理を行う必要がない。受信装置２においても同様である。
【０２３７】
なお、本発明の実施の形態は、上述した実施の形態に限定されるものではなく、本発明の要旨を逸脱しない範囲において種々の変更が可能である。
【図面の簡単な説明】
【０２３８】
【図１】列重み３、行重み４の検査行列の一例を示す図である。
【図２】送信装置１が送信する多重フレームの構成例を示す図である。
【図３】本発明を適用したディジタルデータ伝送システムの送信装置の一実施の形態の構成例を示すブロック図である。
【図４】送信装置１が送信する変調信号の一例を示す図である。
【図５】本発明を適用したディジタルデータ伝送システムの受信装置の一実施の形態の構成例を示すブロック図である。
【図６】検査行列Hのパリティ長Pに対応する部分行列HTの例を示す図である。
【図７】検査行列Hの基本構造を示す図である。
【図８】各符号化率ごとの情報長及びパリティ長を示す図である。
【図９】LDPC符号化部１１−１の構成例を示すブロック図である。
【図１０】LDPC符号化部１１−１の処理過程を示すフローチャートである。
【図１１】符号化率が名目3/5の検査行列初期値テーブルを示す図である。
【図１２】符号化率が名目3/5の検査行列初期値テーブルを示す図である。
【図１３】符号化率が名目2/3の検査行列初期値テーブルを示す図である。
【図１４】符号化率が名目2/3の検査行列初期値テーブルを示す図である。
【図１５】符号化率が名目3/4の検査行列初期値テーブルを示す図である。
【図１６】符号化率が名目3/4の検査行列初期値テーブルを示す図である。
【図１７】符号化率が名目4/5の検査行列初期値テーブルを示す図である。
【図１８】符号化率が名目4/5の検査行列初期値テーブルを示す図である。
【図１９】符号化率が名目5/6の検査行列初期値テーブルを示す図である。
【図２０】符号化率が名目5/6の検査行列初期値テーブルを示す図である。
【図２１】符号化率が7/8の検査行列初期値テーブルを示す図である。
【図２２】符号化率が7/8の検査行列初期値テーブルを示す図である。
【図２３】符号化率が名目9/10の検査行列初期値テーブルを示す図である。
【図２４】符号化率が名目9/10の検査行列初期値テーブルを示す図である。
【図２５】検査行列初期値テーブルから検査行列Hを生成する方法を説明する図である。
【図２６】符号化率ごとの情報長に対応するk及びパリティ長に対応するQの一覧を示す図である。
【図２７】送信装置１の処理を説明するフローチャートである。
【図２８】情報ビットIiの構成図及びBCH生成多項式一覧を示す図である。
【図２９】送信装置１におけるM値変調におけるビットインターリーブ処理を説明する図である。
【図３０】復号器２３の処理過程を示すフローチャートである。
【図３１】受信装置２の処理を説明するフローチャートである。
【図３２】受信装置２におけるM値変調におけるデインターリーブ処理を説明する図である。
【図３３】サイクル４、サイクル６の例を示す図である。
【図３４】16APSKの信号点の配置を示す図である。
【図３５】32APSKの信号点の配置を示す図である。
【図３６】計測シミュレーションで採用したEb/Noと、BERの計算に用いたフレーム数とを示す図である。
【図３７】変調方式が16APSKである場合の、半径比γとBERとの関係を示す図である。
【図３８】図３７の一部を拡大した図である。
【図３９】変調方式が32APSKである場合の、第２の半径比γ2とBERとの関係を示す図である。
【図４０】図３９の一部を拡大した図である。
【図４１】異なるEb/Noについての、半径比γとBERとの関係を示す図である。
【図４２】16APSKについての計測シミュレーションで得られたBERが最小となる半径比γを示す図である。
【図４３】32APSKについての計測シミュレーションで得られたBERが最小となる第１の半径比γ1及び第２の半径比γ2を示す図である。
【図４４】本発明を適用したコンピュータの一実施の形態の構成例を示すブロック図である。
【符号の説明】
【０２３９】
１  送信装置，  ２  受信装置，  １０  フレーム生成部，  １１−１，１１−２  LDPC符号化部（LDPC符号化），  １１−３，１１−４  外符号符号化部（BCH符号化），  １１a  制御部，  １１b  記憶部，  １２，１３  エネルギー拡散部，  １４  スイッチ，  １５  変調マッピング部，  １６  時分割多重／直交変調部，  ２０  チャンネル選択部，  ２１  直交検波部，  ２２  伝送制御信号復号部，  ２３  復号器（LDPC復号），  ２４  エネルギー逆拡散部，  ２５  外符号復号部（BCH復号），  ３０１  バス，  ３０２  CPU，  ３０３  ROM，  ３０４  RAM，  ３０５  ハードディスク，  ３０６  出力部，  ３０７  入力部，  ３０８  通信部，  ３０９  ドライブ，  ３１０  入出力インタフェース，  ３１１  リムーバブル記録媒体
【図１】
0004856608.tif 000009
【図２】
0004856608.tif 000010
【図３】
0004856608.tif 000011
【図４】
0004856608.tif 000012
【図５】
0004856608.tif 000013
【図６】
0004856608.tif 000014
【図７】
0004856608.tif 000015
【図８】
0004856608.tif 000016
【図９】
0004856608.tif 000017
【図１０】
0004856608.tif 000018
【図１１】
0004856608.tif 000019
【図１２】
0004856608.tif 000020
【図１３】
0004856608.tif 000021
【図１４】
0004856608.tif 000022
【図１５】
0004856608.tif 000023
【図１６】
0004856608.tif 000024
【図１７】
0004856608.tif 000025
【図１８】
0004856608.tif 000026
【図１９】
0004856608.tif 000027
【図２０】
0004856608.tif 000028
【図２１】
0004856608.tif 000029
【図２２】
0004856608.tif 000030
【図２３】
0004856608.tif 000031
【図２４】
0004856608.tif 000032
【図２５】
0004856608.tif 000033
【図２６】
0004856608.tif 000034
【図２７】
0004856608.tif 000035
【図２８】
0004856608.tif 000036
【図２９】
0004856608.tif 000037
【図３０】
0004856608.tif 000038
【図３１】
0004856608.tif 000039
【図３２】
0004856608.tif 000040
【図３３】
0004856608.tif 000041
【図３４】
0004856608.tif 000042
【図３５】
0004856608.tif 000043
【図３６】
0004856608.tif 000044
【図３７】
0004856608.tif 000045
【図３８】
0004856608.tif 000046
【図３９】
0004856608.tif 000047
【図４０】
0004856608.tif 000048
【図４１】
0004856608.tif 000049
【図４２】
0004856608.tif 000050
【図４３】
0004856608.tif 000051
【図４４】
0004856608.tif 000052